(57)【要約】  【課題】  移動通信端末を評価等するため、擬似基地局装置を用いて通信プロトコルの通信シーケンスを観測し、信号の物理量測定を行ない解析を行っていたが、通信シーケンスと物理量の時間的関連や前後の状況の表示ができなかった。  【解決手段】  所定の通信プロトコルのデジタル通信システムにおける通信シーケンスをシーケンス情報取得手段１０３が取得し、識別可能にシーケンスログ表示１０とする通信試験装置において、少なくとも１つの通信チャネルの信号の物理量を検出し検出値として出力する信号物理量測定手段１０４と、該検出値のパワーレベルとシーケンス情報取得手段からの通信データの有無情報とから通信の有無を判定し、パワーログ情報として出力するレベル判定手段１０７とを有し、表示手段１０８は、前記シーケンスログ表示と、前記パワーログ情報から通信の有無を識別可能に示したパワーログ表示９とを時系列に並べて表示する。【選択図】  図１
2006033007.tif 000002
【特許請求の範囲】
【請求項１】
所定の通信プロトコルで通信を行うデジタル通信システムの通信における情報の受け渡しの内容を検出してシーケンスログ情報を作成するシーケンスログ作成段階と、該シーケンスログ情報を識別可能に示したシーケンスログ表示（１０）を表示する段階とを有する通信試験結果表示方法において、
前記通信プロトコルで定められた通信チャネルのうち少なくとも１つの通信チャネルに対応する信号の物理量を検出し、その物理量を検出値として出力する信号物理量測定段階と、
前記検出値に含まれるパワーレベルから前記少なくとも１つの通信チャネルにおける通信の有無を判定し、その判定した結果を含むパワーログ情報を作成するレベル判定段階と、
該パワーログ情報から前記通信の有無を識別可能に示したパワーログ表示（９）を表示する段階と、
前記シーケンスログ表示と前記パワーログ表示とを共に時系列に並べて表示するログ表示（１５）を行うログ表示段階とを有することを特徴とする通信試験結果表示方法。
【請求項２】
前記シーケンスログ作成段階は、前記少なくとも１つの通信チャネルにおける通信データの有無を判定し、その結果をシーケンスログ情報の一部とする通信データ有無判定段階を有し、
前記レベル判定段階は、シーケンスログ情報に含まれる通信データの有無の判定結果と、前記信号物理量測定段階で検出した検出値に含まれるパワーレベルとから前記少なくとも１つの通信チャネルにおける通信の有無を判定し、その判定した結果を含むパワーログ情報を作成することを特徴とする請求項１記載の通信試験結果表示方法。
【請求項３】
前記シーケンスログ作成段階は、前記通信における情報の受け渡しの内容を取得したときの時刻を示す第１のタイムスタンプ（１１ａ）を、前記内容と関連付けて前記シーケンスログ情報とする段階を有し、
前記信号物理量測定段階は、前記少なくとも１つの通信チャネルに対応した信号の物理量を検出したときの時刻を示す第２のタイムスタンプ（１１ｂ）を、前記物理量と関連付けて前記検出値とする段階を有し、
前記ログ表示段階は、前記シーケンスログ情報が有する第１のタイムスタンプと、前記レベル判定段階で作成された前記パワーログ情報に対応した前記第１または第２のタイムスタンプとが時系列で並ぶように前記シーケンスログ表示と前記パワーログ表示を前記ログ表示として表示させる段階を有し、
前記ログ表示段階で表示された前記シーケンスログ表示の時系列に並んだ項目または前記パワーログ表示の時系列に並んだ項目から任意の項目を選択することにより前記時系列に並べられた前記シーケンスログ表示および前記パワーログ表示の任意の項目を選択可能とする項目選択段階と、
該項目選択段階で選択した前記項目の有する第１のタイムスタンプまたは第２のタイムスタンプが示す時刻に最も近接する時刻を示す前記第２のタイムスタンプを有する前記検出値を含んだ所定の時間範囲内の前記検出値から前記少なくとも１つの通信チャネルに対するパワーレベルをグラフでレベル表示（５２）するレベル表示段階とを有することを特徴とする請求項１または請求項２記載の通信試験結果表示方法。
【請求項４】
所定の通信プロトコルで通信を行うデジタル通信システムの通信における情報の受け渡しを検出するシーケンス情報取得手段（１０３）が取得した情報をシーケンスログ情報とし、該シーケンスログ情報を識別可能に示すシーケンスログ表示（１０）を表示する通信試験装置において、
前記通信プロトコルで定められた通信チャネルのうち少なくとも１つの通信チャネルに対応した信号の物理量を検出し、検出値として出力する信号物理量測定手段（１０４）と、
該検出値に含まれるパワーレベルから前記少なくとも１つの通信チャネルにおける通信の有無を判定し、その判定結果からパワーログ情報を作成して出力するレベル判定手段（１０７）とを有し、
前記シーケンスログ表示と、前記パワーログ情報から前記少なくとも１つの通信チャネルにおける通信の有無を識別可能に示したパワーログ表示（９）とを共に時系列に並べてログ表示（１５）として表示する表示手段（１０８）とを有することを特徴とする通信試験装置。
【請求項５】
前記シーケンス情報取得手段は、前記少なくとも１つの通信チャネルにおける通信データの有無を判定し、その結果を前記シーケンスログ情報の一部とする通信データ有無判定手段（１０３ａ，１０３ｂ）を有し、
前記レベル判定手段は、前記シーケンス情報取得手段で作成された前記シーケンス情報に含まれる通信データの有無の判定結果と前記信号物理量測定手段で検出された検出値に含まれるパワーレベルとから前記少なくとも１つの通信チャネルにおける通信の有無を判定し、その判定結果からパワーログ情報を作成し出力することを特徴とする請求項４記載の通信試験装置。
【請求項６】
前記シーケンス情報取得手段は、前記シーケンス情報取得手段が通信における情報の受け渡しが行われたときに該通信における情報の内容を取得して、該取得した情報の内容と、そのときの時刻を表す時刻情報発生手段（１０５）から出力された第１のタイムスタンプ（１１ａ）とを関連付けて前記シーケンスログ情報とし、
前記信号物理量測定手段は、該信号物理量測定手段で検出した物理量と、検出したときの時刻を表す前記時刻情報発生手段から出力された第２のタイムスタンプ（１１ｂ）とを関連付けて前記検出値とし、
前記シーケンスログ情報が有する前記第１のタイムスタンプと、前記レベル判定手段で作成され、出力された前記パワーログ情報に対応した前記第１および前記第２のタイムスタンプとが時系列で並ぶように前記シーケンスログ表示と共に前記パワーログ表示を前記ログ表示として表示をさせる前記表示手段を有することを特徴とした請求項４または請求項５記載の通信試験装置。
【請求項７】
前記シーケンスログ情報と前記検出値とを記憶する記憶手段（１０６）と、
該記憶手段に記憶された前記シーケンスログ情報を識別可能に示した前記シーケンスログ表示と、
該記憶手段に記憶された前記検出値から前記レベル判定手段により前記少なくとも１つの通信チャネルにおける通信の有無が判定され作成された前記パワーログ情報から、前記少なくとも１つの通信チャネルにおける通信の有無を識別可能に示した前記パワーログ表示とを共に時系列に並べて前記ログ表示として表示する前記表示手段を備えたことを特徴とする請求項４乃至請求項６記載の通信試験装置。
【請求項８】
前記レベル判定手段は、前記信号物理量測定手段で検出された前記検出値に含まれるパワーレベルと、予め対象となる通信チャネルに応じて設定されたスレッショルド値とを比較して前記少なくとも１つの通信チャネルにおける通信の有無を判定することを特徴とする請求項４乃至請求項７記載の通信試験装置。
【請求項９】
前記レベル判定手段は、前記検出値に含まれるパワーレベルと、予め対象となる通信チャネルに応じて設定されたスレッショルド値とを比較して前記少なくとも１つの通信チャネルにおける通信の有無を判定し、
前記スレッショルド値は、前記少なくとも１つの通信チャネルにおける通信が有りと判定するための第１のスレッショルド値と前記少なくとも１つの通信チャネルにおける通信が無しと判定するための第２のスレッショルド値とからなり、前記レベル判定手段は前記第１のスレッショルド値と前記第２のスレッショルド値の間でヒステリシス特性を持つ判定を行うことを特徴とする請求項４乃至請求項７記載の通信試験装置。
【請求項１０】
前記表示手段は、前記レベル判定手段によって判定され、作成された前記パワーログ情報から、前記少なくとも１つの通信チャネルにおける通信の有無の状態が、通信無しの状態から通信有りの状態に変化したことと、通信有りの状態から通信無しの状態に変化したこととを前記パワーログ表示として識別可能に表示することを特徴とする請求項４乃至請求項９記載の通信試験装置。
【請求項１１】
前記表示手段は、前記パワーログ表示を非表示に設定可能な表示項目設定手段（１１３ｄ）を有することを特徴とする請求項４乃至請求項１０記載の通信試験装置。
【請求項１２】
前記表示手段は、ログ表示画面（１）に表示される前記ログ表示が前記ログ表示画面の表示範囲を超える場合は、前記ログ表示のスクロールを可能とすることを特徴とする請求項４乃至請求項１１記載の通信試験装置。
【請求項１３】
前記表示手段は、前記表示手段に表示された前記ログ表示の前記シーケンスログ表示の時系列に並んだ項目または前記パワーログ表示の時系列に並んだ項目から任意の項目を選択することにより前記時系列に並べられた前記シーケンス表示および前記パワーログ表示の任意の項目を選択可能とする項目選択手段（１１３ｆ）とを有し、
該項目選択手段により選択した前記項目に対応した詳細情報を詳細情報表示（１４）として表示することを特徴とする請求項４乃至請求項１２記載の通信試験装置。
【請求項１４】
前記表示手段は、前記パワーログ表示から所望の通信チャネルに関する項目を検索し、該検索に該当した項目を識別可能にするパワーログ情報検索手段（１１３ｇ）を有することを特徴とする請求項４乃至請求項１３記載の通信試験装置。
【請求項１５】
前記表示手段は、前記表示手段に表示された前記ログ表示の前記シーケンスログ表示の時系列に並べられた項目または前記パワーログ表示の時系列に並べられた項目から任意の項目を選択することにより前記時系列に並べられた前記シーケンスログ表示および前記パワーログ表示の任意の項目を選択可能とする前記項目選択手段を有し、
該項目選択手段により選択した前記項目の有する前記第１のタイムスタンプまたは前記第２のタイムスタンプが示す時刻に最も近接する時刻を示す前記第２のタイムスタンプを有する前記検出値を含んだ所定の時間範囲内の前記検出値から少なくとも１つの通信チャネルに対するパワーレベルをグラフで表示したレベル表示（５２）を行うことを特徴とする請求項６乃至請求項１４記載の通信試験装置。
【請求項１６】
前記シーケンスログ情報と前記検出値とを記憶する前記記憶手段と、
該記憶手段に記憶された前記シーケンスログ情報と、
該記憶手段に記憶された前記検出値とから前記レベル表示を行う前記表示手段を備えたことを特徴とする請求項１５記載の通信試験装置。
【請求項１７】
前記表示手段は、前記項目選択手段で選択した項目が示す内容に対応した通信チャネルを認識し、該通信チャネルに係るパワーレベルを前記レベル表示にグラフ表示させる表示情報抽出手段（１０９）を有することを特徴とする請求項１５または請求項１６記載の通信試験装置。
【請求項１８】
前記表示手段は、前記レベル表示に表示する通信チャネルを選択するチャネル選択手段（１１３ａ）と、該チャネル選択手段で選択された通信チャネルに対応した表示に係る情報を抽出し、前記レベル表示に表示する表示情報抽出手段（１０９）とを有することを特徴とする請求項１５または請求項１６記載の通信試験装置。
【請求項１９】
前記チャネル選択手段は、複数の通信チャネルに係るパワーレベルを前記レベル表示に表示させるために複数の通信チャネルを選択可能であり、
前記表示情報抽出手段は、前記チャネル選択手段で選択された複数の通信チャネルに対応した表示に係る情報を抽出可能であり、
前記表示手段は前記表示情報抽出手段で抽出された前記表示に係る情報に基づいて前記レベル表示を行うことを特徴とする請求項１８記載の通信試験装置。
【請求項２０】
前記表示手段は、前記レベル表示に表示する時間軸のスケールおよびパワーレベル軸の少なくとも１つを変更可能な表示スケール変更手段（１１３ｅ）を有することを特徴とする請求項１５乃至請求項１９記載の通信試験装置。
【請求項２１】
前記信号物理量測定手段は、前記少なくとも１つの通信チャネルに対応した信号を所定の周期でサンプリングして検出しており、前記表示手段は、前記信号物理量測定手段で検出した前記検出値に含まれるパワーレベルを直線補間して前記レベル表示に表示を行うことを特徴とする請求項１５乃至請求項２０記載の通信試験装置。
【請求項２２】
前記表示手段は、前記予め設定されたスレッショルド値を前記レベル表示上の該当するパワーレベルに識別可能に表示することを特徴とする請求項１５乃至請求項２１記載の通信試験装置。
【請求項２３】
前記表示手段は、レベル表示画面（５１）に表示される前記レベル表示が前記レベル表示画面の表示範囲を超える場合は、前記レベル表示のスクロールを可能とすることを特徴とする請求項１５乃至請求項２２記載の通信試験装置。
【請求項２４】
前記表示手段は、前記表示部に表示された前記ログ表示のスクロールと、
前記表示部に表示された前記レベル表示のスクロールとが連動または非連動とすることを選択的に設定可能とするスクロール制御手段（１１３ｃ）を有することを特徴とする請求項１２または請求項２３記載の通信試験装置。
【発明の詳細な説明】
【技術分野】
【０００１】
本発明は、デジタル通信システムを用いた端末装置等の開発、試験、評価等に使用する通信試験装置において、開発、試験、評価等の対象となる端末装置と、通信試験装置との間の通信の流れ（以下「通信シーケンス」または「シーケンス」とも言う）の解析および通信を行う信号の送受信状況や信号のパワーレベルを含む信号物理量の測定（本発明で言う「検出」に相当。以下同様）や表示等を行う。端末装置と通信試験装置との間の通信の解析（以下「通信プロトコル解析」とも言う）を容易にし、端末装置等の開発、試験、評価等をより一層容易に行うための技術に関する。
特に、デジタル無線通信システムを用いた携帯電話等の移動通信端末を開発、試験、評価等に使用する擬似基地局動作を行う通信試験装置においては、通信が外部要因に左右されるため、特に有効な技術であるので、以降の説明ではデジタル無線通信システムを中心に説明を行う。なお、以降の説明では開発、試験、評価等の対象となる端末装置および移動通信端末を「被試験端末」とも言う。
【背景技術】
【０００２】
図１６（ａ）、（ｂ）に従来の携帯電話機等の移動通信端末の開発、試験、評価等のため送信および受信の信号の送受信状況や信号のパワーレベルを含む信号物理量の測定や表示等を行うための構成を示した。
【０００３】
携帯電話機等の移動通信端末に対する開発、試験、評価等を行うために、図１６（ａ）では、移動通信端末を擬似基地局装置と接続を行い、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ｃｄｍａ２０００方式等のデジタル通信システムにおける通信プロトコル（以下「通信方式」とも言う）の通信シーケンスを観測し、表示等させて通信内容の解析等を行っていた。
【０００４】
図１４は、図１６（ａ）の擬似基地局装置２００における通信シーケンス表示の表示例である。この例では、擬似基地局装置２００内部で所定の通信プロトコルに必要なレイヤ間のシーケンスの流れが表示されているが、接続された移動通信端末１０１との送受信が実際に行われているかは表示されていない。
【０００５】
図１５は、図１６（ａ）の擬似基地局装置２００が物理量の検出機能を有する場合の検出した物理量の表示例である。この例では、所定の通信プロトコルで使用されている各通信チャネルに対して所定のサンプリング周期で検出した物理量が表示されている。しかしながら、この表示された物理量は瞬間値であり、前後の信号の変化を読み取ることはできない。
【０００６】
図１６（ｂ）の形態では、図１６（ａ）で示した形態に加え、送信機試験装置３００を擬似基地局装置２００と並列に接続して、前述の通信シーケンスの観測と併せて被測定対象である移動通信端末１０１内の送信機が出力する信号のパワーレベルを含む物理量を測定していた。
【０００７】
しかし、図１６（ｂ）の方法においても、擬似基地局装置２００が観測し表示された通信シーケンスの示すそれぞれのシーケンスと、送信機試験装置３００による信号の物理量の測定値が独立しているため関連性を求めるために大変な労力と時間を必要としていた。
【０００８】
これを解決する技術として、次の特許文献１には、デジタル無線機の通信プロトコルを送信／受信する擬似基地局機能を備えて、被試験端末を試験するデジタル無線機器試験装置において、通信プロトコルのシーケンスの各ステップに対応して被試験端末が出力する信号の物理量を通信プロトコル毎に同期して測定する物理量測定部と、擬似基地局のプロトコルアナライザ部からの通信プロトコルの表示データと、当該物理量測定部からの通信プロトコル毎に同期した物理量表示データの両方若しくは一方を表示する表示部と、以上を具備していることを特徴としたデジタル無線器試験装置について開示されている。
【０００９】
この技術によれば、通信プロトコル試験と物理量測定とを一体化し、かつ両方を同一画面に表示することで、被試験信号の試験／評価／解析を、より一層容易な装置を実現するとしている。
【００１０】
【特許文献１】特許第３４３３８４６号公報
【発明の開示】
【発明が解決しようとする課題】
【００１１】
前述したように、デジタル通信システムを用いた端末装置等の開発、試験、評価等を通信の流れの表示等を行い、通信の解析を容易にするためには、以下に述べる課題を実現しなければならない。
【００１２】
（１）第１に、通信プロトコルのシーケンスの各ステップに同期した物理量のみを表示するのではなく、シーケンスの各ステップと並行させて継続的に物理量を測定し、表示することにより、通信プロトコルのシーケンスと実際に送受信された信号との時間的関連を表すことができる。
【００１３】
（２）第２に、披試験端末が出力する信号の物理量の測定および、擬似基地局側から出力する信号の物理量を測定することにより、擬似基地局側の通信手順を記述したシナリオの内容や擬似基地局側から送信する信号に係る設定のミス等による擬似基地局側からの出力信号の異常等を見つけることができる。
【００１４】
（３）通信プロトコルのシーケンスの各ステップと並行させて継続的に物理量を測定し、通信プロトコルのシーケンスのステップとステップとの間の時間における物理量をも表示し、シーケンスの各ステップによって生じた物理量の変化以外に前後の状況を確認できる。
【００１５】
（４）同一の周波数や時間帯に複数の通信チャネルが存在するＷ−ＣＤＭＡ方式やｃｄｍａ２０００方式等のような符号分割多元接続方式等を用いる通信方式での信号における各通信チャネルの物理量を測定し、どの通信チャネルの通信が行われているか判断することできる。
【００１６】
しかし、特許文献１記載の発明では、上記４つ課題のどれも解決していない。本発明は、上記４つの課題を解決し、移動通信端末と通信試験装置間の通信の解析を容易にし、試験、評価等をより一層容易に行うための通信試験結果表示方法および通信試験装置を提供することを目的としている。
【課題を解決するための手段】
【００１７】
前記目的を達成するために、本発明の請求項１の通信試験結果表示方法は、所定の通信プロトコルで通信を行うデジタル通信システムの通信における情報の受け渡しの内容を検出してシーケンスログ情報を作成するシーケンスログ作成段階と、該シーケンスログ情報を識別可能に示したシーケンスログ表示を表示する段階とを有する通信試験結果表示方法において、
前記通信プロトコルで定められた通信チャネルのうち少なくとも１つの通信チャネルに対応する信号の物理量を検出し、その物理量を検出値として出力する信号物理量測定段階と、
前記検出値に含まれるパワーレベルから前記少なくとも１つの通信チャネルにおける通信の有無を判定し、その判定した結果を含むパワーログ情報を作成するレベル判定段階と、
該パワーログ情報から前記通信の有無を識別可能に示したパワーログ表示を表示する段階と、
前記シーケンスログ表示と前記パワーログ表示とを共に時系列に並べて表示するログ表示を行うログ表示段階とを有することを特徴とする。
これら段階によりシーケンスログ表示と通信の有無を識別可能としたパワーログ表示とが時系列に並んで表示される。
【００１８】
本発明の請求項２の通信試験結果表示方法は、請求項１の段階に加えて、前記シーケンスログ作成段階は、前記少なくとも１つの通信チャネルにおける通信データの有無を判定し、その結果をシーケンスログ情報の一部とする通信データ有無判定段階を有し、
前記レベル判定段階は、シーケンスログ情報に含まれる通信データの有無の判定結果と、前記信号物理量測定段階で検出した検出値に含まれるパワーレベルとから前記少なくとも１つの通信チャネルにおける通信の有無を判定し、その判定した結果を含むパワーログ情報を作成することを特徴とする。
これら段階により少なくとも１つの通信チャネルの通信の有無がパワーレベルだけでなくデータの有無の条件も合わせて判定される。
【００１９】
本発明の請求項３の通信試験結果表示方法は、請求項１または請求項２の段階に加えて、前記シーケンスログ作成段階は、前記通信における情報の受け渡しの内容を取得したときの時刻を示す第１のタイムスタンプを、前記内容と関連付けて前記シーケンスログ情報とする段階を有し、
前記信号物理量測定段階は、前記少なくとも１つの通信チャネルに対応した信号の物理量を検出したときの時刻を示す第２のタイムスタンプを、前記物理量と関連付けて前記検出値とする段階を有し、
前記ログ表示段階は、前記シーケンスログ情報が有する第１のタイムスタンプと、前記レベル判定段階で作成された前記パワーログ情報に対応した前記第１または第２のタイムスタンプとが時系列で並ぶように前記シーケンスログ表示と前記パワーログ表示を前記ログ表示として表示させる段階を有し、
前記ログ表示段階で表示された前記シーケンスログ表示の時系列に並んだ項目または前記パワーログ表示の時系列に並んだ項目から任意の項目を選択することにより前記時系列に並べられた前記シーケンスログ表示および前記パワーログ表示の任意の項目を選択可能とする項目選択段階と、
該項目選択段階で選択した前記項目の有する第１のタイムスタンプまたは第２のタイムスタンプが示す時刻に最も近接する時刻を示す前記第２のタイムスタンプを有する前記検出値を含んだ所定の時間範囲内の前記検出値から前記少なくとも１つの通信チャネルに対するパワーレベルをグラフでレベル表示するレベル表示段階とを有することを特徴とする。
これら段階によりレベル判定段階で少なくとも１つの通信チャネルの通信の有無が判定され、作成されたパワーログ情報には、通信の有無の判定を確定したときの情報が有する第１または第２のタイムスタンプが付され、ログ表示に表示されるシーケンスログ表示とパワーログ表示が時系列に並ぶように表示される。また、これら段階よりログ表示から選択した項目が有するタイムスタンプが示す時刻に最も近接する時刻を含んだ時間範囲内のレベル表示を行う。
【００２０】
本発明の請求項４の通信試験装置は、所定の通信プロトコルで通信を行うデジタル通信システムの通信における情報の受け渡しを検出するシーケンス情報取得手段が取得した情報をシーケンスログ情報とし、該シーケンスログ情報を識別可能に示すシーケンスログ表示を表示する通信試験装置において、
前記通信プロトコルで定められた通信チャネルのうち少なくとも１つの通信チャネルに対応した信号の物理量を検出し、検出値として出力する信号物理量測定手段と、
該検出値に含まれるパワーレベルから前記少なくとも１つの通信チャネルにおける通信の有無を判定し、その判定結果からパワーログ情報を作成して出力するレベル判定手段とを有し、
前記シーケンスログ表示と、前記パワーログ情報から前記少なくとも１つの通信チャネルにおける通信の有無を識別可能に示したパワーログ表示とを共に時系列に並べてログ表示として表示する表示手段とを有することを特徴とする。
この構成によりシーケンスログ表示と通信の有無を識別可能としたパワーログ表示とが時系列に並んで表示される。
【００２１】
本発明の請求項５の通信試験装置は、請求項４の構成に加えて、前記シーケンス情報取得手段は、前記少なくとも１つの通信チャネルにおける通信データの有無を判定し、その結果を前記シーケンスログ情報の一部とする通信データ有無判定手段を有し、
前記レベル判定手段は、前記シーケンス情報取得手段で作成された前記シーケンス情報に含まれる通信データの有無の判定結果と前記信号物理量測定手段で検出された検出値に含まれるパワーレベルとから前記少なくとも１つの通信チャネルにおける通信の有無を判定し、その判定結果からパワーログ情報を作成し出力することを特徴とする。
この構成により少なくとも１つの通信チャネルの通信の有無がパワーレベルだけでなく通信データの有無の条件も合わせて判定される。
【００２２】
本発明の請求項６の通信試験装置は、請求項４または請求項５の構成に加えて、前記シーケンス情報取得手段は、前記シーケンス情報取得手段が通信における情報の受け渡しが行われたときに該通信における情報の内容を取得して、該取得した情報の内容と、そのときの時刻を表す時刻情報発生手段から出力された第１のタイムスタンプとを関連付けて前記シーケンスログ情報とし、
前記信号物理量測定手段は、該信号物理量測定手段で検出した物理量と、検出したときの時刻を表す前記時刻情報発生手段から出力された第２のタイムスタンプとを関連付けて前記検出値とし、
前記シーケンスログ情報が有する前記第１のタイムスタンプと、前記レベル判定手段で作成され、出力された前記パワーログ情報に対応した前記第１および前記第２のタイムスタンプとが時系列で並ぶように前記シーケンスログ表示と共に前記パワーログ表示を前記ログ表示として表示をさせる前記表示手段を有することを特徴とする。
この構成により、シーケンスログ情報の取得と、検出値の取得およびパワーログ情報の生成が独立して実施され、シーケンスログ表示とパワーログ表示が時系列に並べてログ表示となる。
【００２３】
本発明の請求項７の通信試験装置は、請求項４乃至請求項６の構成に加えて、前記シーケンスログ情報と前記検出値とを記憶する記憶手段と、
該記憶手段に記憶された前記シーケンスログ情報を識別可能に示した前記シーケンスログ表示と、
該記憶手段に記憶された前記検出値から前記レベル判定手段により前記少なくとも１つの通信チャネルにおける通信の有無が判定され作成された前記パワーログ情報から、前記少なくとも１つの通信チャネルにおける通信の有無を識別可能に示した前記パワーログ表示とを共に時系列に並べて前記ログ表示として表示する前記表示手段を備えたことを特徴とする。
この構成により、シーケンスログ情報と少なくとも１つの通信チャネルに対応した検出値を記憶し、検出値からレベル判定手段でパワーログ情報が作成され、記憶されたシーケンスログ情報と共にパワーログ表示とシーケンスログ表示としてログ表示を行う。
【００２４】
本発明の請求項８の通信試験装置は、請求項４乃至請求項７の構成に加えて、前記レベル判定手段は、前記信号物理量測定手段で検出された前記検出値に含まれるパワーレベルと、予め対象となる通信チャネルに応じて設定されたスレッショルド値とを比較して前記少なくとも１つの通信チャネルにおける通信の有無を判定することを特徴とする。
この構成により予め対象となる通信チャネルに応じて設定されたスレッショルド値で対象の通信チャネルにおける通信の有無を判定する。
【００２５】
本発明の請求項９の通信試験装置は、請求項４乃至請求項７の構成に加えて、前記レベル判定手段は、前記検出値に含まれるパワーレベルと、予め対象となる通信チャネルに応じて設定されたスレッショルド値とを比較して前記少なくとも１つの通信チャネルにおける通信の有無を判定し、
前記スレッショルド値は、前記少なくとも１つの通信チャネルにおける通信が有りと判定するための第１のスレッショルド値と前記少なくとも１つの通信チャネルにおける通信が無しと判定するための第２のスレッショルド値とからなり、前記レベル判定手段は前記第１のスレッショルド値と前記第２のスレッショルド値の間でヒステリシス特性を持つ判定を行うことを特徴とする。
この構成により、ヒステリシス特性を持ったレベル判定を行う。
【００２６】
本発明の請求項１０の通信試験装置は、請求項４乃至請求項９の構成に加えて、前記表示手段は、前記レベル判定手段によって判定されされ、作成された前記パワーログ情報から、前記少なくとも１つの通信チャネルにおける通信の有無の状態が、通信無しの状態から通信有りの状態に変化したことと、通信有りの状態から通信無しの状態に変化したこととを前記パワーログ表示として識別可能に表示することを特徴とする。
この構成により、少なくとも１つの通信チャネルにおける通信の開始と終了をパワーログ表示として識別可能に表示する。
【００２７】
本発明の請求項１１の通信試験装置は、請求項４乃至請求項１０の構成に加えて、前記表示手段は、前記パワーログ表示を非表示に設定可能な表示項目設定手段を有することを特徴とする。
この構成により、ログ表示にパワーログ表示の表示または非表示を設定する。
【００２８】
本発明の請求項１２の通信試験装置は、請求項４乃至請求項１１の構成に加えて、前記表示手段は、ログ表示画面に表示される前記ログ表示が前記ログ表示画面の表示範囲を超える場合は、前記ログ表示のスクロールを可能とすることを特徴とする。
この構成により、ログ表示を上下にスクロールさせて表示する。
【００２９】
本発明の請求項１３の通信試験装置は、請求項４乃至請求項１２の構成に加えて、前記表示手段は、前記表示手段に表示された前記ログ表示の前記シーケンスログ表示の時系列に並んだ項目または前記パワーログ表示の時系列に並んだ項目から任意の項目を選択することにより前記時系列に並べられた前記シーケンス表示および前記パワーログ表示の任意の項目を選択可能とする項目選択手段とを有し、
該項目選択手段により選択した前記項目に対応した詳細情報を詳細情報表示として表示することを特徴とする。
この構成により、シーケンスログ表示およびパワーログ表示に関連する詳細情報を表示する。
【００３０】
本発明の請求項１４の通信試験装置は、請求項４乃至請求項１３の構成に加えて、前記表示手段は、前記パワーログ表示から所望の通信チャネルに関する項目を検索し、該検索に該当した項目を識別可能にするパワーログ情報検索手段を有することを特徴とする。
この構成により、所望の通信チャネルのパワーログ表示を検索して識別する。
【００３１】
本発明の請求項１５の通信試験装置は、請求項６乃至請求項１４の構成に加えて、前記表示手段は、前記表示手段に表示された前記ログ表示の前記シーケンスログ表示の時系列に並べられた項目または前記パワーログ表示の時系列に並べられた項目から任意の項目を選択することにより前記時系列に並べられた前記シーケンスログ表示および前記パワーログ表示の任意の項目を選択可能とする前記項目選択手段を有し、
該項目選択手段により選択した前記項目の有する前記第１のタイムスタンプまたは前記第２のタイムスタンプが示す時刻に最も近接する時刻を示す前記第２のタイムスタンプを有する前記検出値を含んだ所定の時間範囲内の前記検出値から少なくとも１つの通信チャネルに対するパワーレベルをグラフで表示したレベル表示を行うことを特徴とする。
この構成により、少なくとも１つの通信チャネルに対するパワーレベルをグラフ表示する。
【００３２】
本発明の請求項１６の通信試験装置は、請求項１５の構成に加えて、前記シーケンスログ情報と前記検出値とを記憶する前記記憶手段と、
該記憶手段に記憶された前記シーケンスログ情報と、
該記憶手段に記憶された前記検出値とから前記レベル表示を行う前記表示手段を備えたことを特徴とする。
この構成により、シーケンスログ情報と少なくとも１つの通信チャネルに対応した検出値を記憶し、記憶されたシーケンスログ情報と検出値からレベル表示を行う。
【００３３】
本発明の請求項１７の通信試験装置は、請求項１５または請求項１６の構成に加えて、前記表示手段は、前記項目選択手段で選択した項目が示す内容に対応した通信チャネルを認識し、該通信チャネルに係るパワーレベルを前記レベル表示にグラフ表示させる表示情報抽出手段を有することを特徴とする。
この構成により、選択した項目に対応した通信チャネルに対するレベル表示を行う。
【００３４】
本発明の請求項１８の通信試験装置は、請求項１５または請求項１６の構成に加え、前記表示手段は、前記レベル表示に表示する通信チャネルを選択するチャネル選択手段と、該チャネル選択手段で選択された通信チャネルに対応した表示に係る情報を抽出し、前記レベル表示に表示する表示情報抽出手段とを有することを特徴とする。
この構成により、通信チャネルを選択しレベル表示に表示する。
【００３５】
本発明の請求項１９の通信試験装置は、請求項１８の構成に加えて、前記チャネル選択手段は、複数の通信チャネルに係るパワーレベルを前記レベル表示に表示させるために複数の通信チャネルを選択可能であり、
前記表示情報抽出手段は、前記チャネル選択手段で選択された複数の通信チャネルに対応した表示に係る情報を抽出可能であり、
前記表示手段は前記表示情報抽出手段で抽出された前記表示に係る情報に基づいて前記レベル表示を行うことを特徴とする。
この構成により、複数の通信チャネルを設定し、同時にレベル表示を行う。
【００３６】
本発明の請求項２０の通信試験装置は、請求項１５乃至請求項１９の構成に加えて、前記表示手段は、前記レベル表示に表示する時間軸のスケールおよびパワーレベル軸の少なくとも１つを変更可能な表示スケール変更手段を有することを特徴とする。
この構成により、レベル表示の時間軸のスケール、パワーレベル軸のスケールを変更する。
【００３７】
本発明の請求項２１の通信試験装置は、請求項１５乃至請求項２０の構成に加えて、前記信号物理量測定手段は、前記少なくとも１つの通信チャネルに対応した信号を所定の周期でサンプリングして検出しており、前記表示手段は、前記信号物理量測定手段で検出した前記検出値に含まれるパワーレベルを直線補間して前記レベル表示に表示を行うことを特徴とする。
この構成により、離散的検出値を連続したグラフとしてレベル表示を行う。
【００３８】
本発明の請求項２２の通信試験装置は、請求項１５乃至請求項２１の構成に加えて、前記表示手段は、前記予め設定されたスレッショルド値を前記レベル表示上の該当するパワーレベルに識別可能に表示することを特徴とする。
この構成により、少なくとも１つの通信チャネルにおける通信の有無を判定したスレッショルド値が視覚的にレベル表示上に表示される。
【００３９】
本発明の請求項２３の通信試験装置は、請求項１５乃至請求項２２の構成に加え、前記表示手段は、レベル表示画面に表示される前記レベル表示が前記レベル表示画面の表示範囲を超える場合は、前記レベル表示のスクロールを可能とすることを特徴とする。
この構成により、レベル表示を上下にスクロールさせて表示する。
【００４０】
本発明の請求項２４の通信試験装置は、請求項１２または請求項２３の構成に加え、前記表示手段は、前記表示部に表示された前記ログ表示のスクロールと、
前記表示部に表示された前記レベル表示のスクロールとが連動または非連動とすることを選択的に設定可能とするスクロール制御手段を有することを特徴とする。
この構成により、ログ表示とレベル表示が連動してスクロールしたり、独立してスクロールすることを選択する。
【発明の効果】
【００４１】
請求項１の発明によれば、所定の通信プロトコルにおける通信のシーケンスログ情報と、全てのまたは測定者により設定された通信チャネル（以下「所定の通信チャネル」とも言う）に対応する信号の物理量を検出した検出値とを別々に管理することができる。そのため、信号物理量測定段階での所定の通信チャネルの信号に対する物理量の検出（以下「測定」とも言う）は、通信プロトコルのシーケンスの進行状況とは独立して実行することができる。さらに、検出値がレベル判定段階で通信の有無を判定され、結果としてパワーログ情報が出力される。シーケンスログ情報およびパワーログ情報を識別可能としたシーケンスログ表示とパワーログ表示は、合わせて時系列に並べて表示されることで、お互いの時間的関係を示すことができる。これにより、所定の通信チャネルにおける通信の有無を判別できるとともに、所定の通信プロトコルのシーケンス（例えば各々の通信レイヤ間のやりとり）との前後関係も見ることができ、前述の第１の課題および第２の課題を解決できる。
【００４２】
請求項２の発明によれば、所定の通信チャネルに対応した信号のパワーレベルと所定の通信チャネルの通信データの有無の判定結果とを条件として通信の有無の判定を行うため、Ｗ−ＣＤＭＡ方式やｃｄｍａ２０００方式等のような符号分割多元接続方式等を用いる通信方式等の様に通信データの有無に関わらず、所定の通信チャネルに対応する信号が出力および受信される状態においても所定の通信チャネルにおける通信の有無を判定することができ、前述の第４の課題を解決できる。
【００４３】
請求項３の発明によれば、シーケンスログ情報は第１のタイムスタンプ、検出値は第２のタイムスタンプを有しており、管理されている。さらに、上記検出値（およびシーケンスログ情報）からレベル判定段階で判定された通信の有無を示すパワーログ情報には、最終的に通信の有無を判定した検出値（またはシーケンスログ情報）が有する第２（または第１）のタイムスタンプがそのまま関連付けられている。そのため、ログ表示の画面上で項目を選択することで、その項目の有するタイムスタンプにより時刻が特定され、その時刻に最も近接する時刻を示す第２のタイムスタンプを有する検出値が選択されて、その検出値を含む所定の時間範囲のタイムスタンプを有する検出値から所定の通信チャネルの信号のパワーレベルをグラフ表示することができ、前述の第１から第４の課題を解決できる。
【００４４】
請求項４の発明によれば、所定の通信プロトコルにおける通信のシーケンスログ情報と、所定の通信チャネルに対応する信号の物理量を検出した検出値とを別々に管理することができる。そのため、信号物理量測定手段での所定の通信チャネルの信号に対する物理量の検出は、通信プロトコルのシーケンスの進行状況とは独立して実行することができる。さらに、検出値がレベル判定手段で通信の有無を判定され、判定結果としてパワーログ情報が出力される。シーケンスログ情報およびパワーログ情報を識別可能としたシーケンスログ表示とパワーログ表示は、合わせて時系列に並べて表示されることで、お互いの時間的関係を示すことができる。これにより、所定の通信チャネルにおける通信の有無を判別できるとともに、所定の通信プロトコルのシーケンス（例えば各々の通信レイヤ間のやりとり）との前後関係も見ることができ、前述の第１の課題および第２の課題を解決できる。
【００４５】
請求項５の方法の発明によれば、所定の通信チャネルに対応した信号のパワーレベルと所定の通信チャネルの通信データの有無の判定結果とを条件として通信の有無の判定を行うため、Ｗ−ＣＤＭＡ方式やｃｄｍａ２０００方式等のような符号分割多元接続方式等を用いる通信方式等の様に通信データの有無に関わらず、所定の通信チャネルに対応する信号が出力および受信されている状態でも所定の通信チャネルにおける通信の有無を判定することができ、前述の第２の課題および第４の課題を解決できる。
【００４６】
請求項６の発明によれば、シーケンスログ情報は第１のタイムスタンプ、検出値は第２のタイムスタンプを有しており、管理されている。さらに、上記検出値（およびシーケンスログ情報）からレベル判定段階で判定された通信の有無を示すパワーログ情報には、最終的に通信の有無を判定した検出値（またはシーケンスログ情報）が有する第２（または第１）のタイムスタンプがそのまま関連付けられている。さらに、表示手段によるログ表示にてシーケンスログ表示とパワーログ表示の実時間的関係も見ることができ、前述の第１の課題および第２の課題を解決できる。
【００４７】
請求項７の発明によれば、実行中の通信に関するログ表示のみならず、過去に実行した通信に関する情報を記憶し、その記憶したシーケンスログ情報および検出値からログ表示を行うことができる。そのため、通信試験を実施後に状況を分析することもでき、さらには記憶された複数の通信試験の比較も可能となる。
【００４８】
請求項８の発明によれば、所定の通信チャネルにおける通信の有無の判断するスレッショルド値を所定の通信チャネル毎に設定できる。そのため、被試験対象である被試験端末の種類等に合わせたパワーレベルで通信の有無を判定することができる。
【００４９】
請求項９の発明によれば、所定の通信チャネルにおける通信の有無の判断において、通信が「有り」（「無し」から「有り」へと変化）と判定するための第１のスレッショルド値と、「無し」（「有り」から「無し」へと変化）と判定するための第２のスレッショルド値とを持つために、第１と第２のスレッショルド値近辺でパワーレベルが微妙に変化するような信号においても通信の有無の判定が頻繁に切り替わることなくログ表示ができる。
【００５０】
請求項１０の発明によれば、パワーログ表示において、通信が「無し」から「有り」へと判定が変化したときと、通信が「有り」から「無し」へと判定が変化したときのみ識別可能に表示を行うため、ログ表示の不要な更新を防止できる。
【００５１】
請求項１１の発明によれば、ログ表示上のパワーログ表示を非表示にすることができるため、パワーログ表示を使用しない操作者（シーケンスログ情報のみ必要な観測者）に不要な情報を与えることなく、またログ表示の更新も低減することができる。
【００５２】
請求項１２の発明によれば、ログ表示がログ表示画面の表示範囲を超えた場合に表示が停止することなく連続してログ表示が更新される。さらに、ログ表示をスクロールすることで過去に遡って任意の時刻のシーケンスログ表示またはパワーログ表示を表示させることができる。
【００５３】
請求項１３の発明によれば、ログ表示に表示されたシーケンスログ表示とパワーログ表示から選択した項目に付随する通信チャネル名、データ内容、物理量等を詳細情報表示として表示することで、操作者（観測者）に対しシーケンスの流れや通信の有無以外の情報を提供することができる。
【００５４】
請求項１４の発明によれば、パワーログ表示から所望の通信チャネルに対する情報を検索可能なため、移動通信端末との長時間の通信試験においても容易に、かつ短時間で所望の通信チャネルの情報を見つけることができる。
【００５５】
請求項１５の発明によれば、ログ表示の画面上でシーケンスログ表示またはパワーログ表示に表示された項目を選択することで、その項目が有するタイムスタンプに最も近接する第２のタイムスタンプを有する検出値を含んで、所定の時間範囲の第２のタイムスタンプを有する検出値から所定の通信チャネルの信号のパワーレベルをグラフでレベル表示することができる。これら効果のため符号分割多元接続方式等を用いる通信方式であっても所定の通信チャネルの信号のパワーレベルを見ることができ、前述の第１から第４の課題を解決できる。
【００５６】
請求項１６の発明によれば、実行中の通信に関するレベル表示のみならず、過去に実行した通信に関する情報を記憶し、その記憶したシーケンスログ情報および検出値からレベル表示を行うことができるため、通信試験を実施後にゆっくりと状況を分析することもでき、さらには記憶された複数の通信試験の比較をすることができる。
【００５７】
請求項１７の発明によれば、ログ表示の画面上でシーケンスログ表示またはパワーログ表示の項目を選択することで、その選択された項目に関連する通信チャネルを判別（チャネル名称等）してレベル表示することができる。
【００５８】
請求項１８の発明によれば、レベル表示する通信チャネルを任意に選択できる。
【００５９】
請求項１９の発明によれば、複数の通信チャネルに関するパワーレベルを並行してレベル表示に表示することができ、各通信チャネルのパワー変化の関係等を見ることができる。
【００６０】
請求項２０の発明によれば、レベル表示の時間軸のスケールおよびパワーレベル軸のスケールを任意に変更・設定できるため、注目個所を拡大して表示することができる。
【００６１】
請求項２１の発明によれば、検出値は、所定の通信チャネルの物理量を所定のサンプリング周期で検出した離散的な数値であるため、各検出値間を直線補間してレベル表示に表示することで連続的なパワーレベルの変化として認識することができる。そのため、第３の課題に対してより識別しやすく解決することができる
【００６２】
請求項２２の発明によれば、所定の通信チャネルに対する通信の有無を判定するための予め設定されたスレッショルド値をレベル表示上の該当するパワーレベルに視覚的に識別可能なように表示することで、レベル表示上でもレベル判定手段におけるパワーレベルの判定基準を直感的に捕らえることができる。
【００６３】
請求項２３の発明によれば、レベル表示がレベル表示画面の表示範囲を超えた場合に表示が停止することなく連続して更新される。さらにレベル表示をスクロールすることで過去に遡って任意の時刻のレベル表示を表示させることができる。
【００６４】
請求項２４の発明によれば、ログ表示のスクロールとレベル表示のスクロールとが「連動」と「非連動」とに設定可能なため、「連動」が設定されている場合にはログ表示のスクロールまたはレベル表示のどちらか一方をスクロールすることで、スクロールされて表示されたタイムスタンプに応じて他方の表示をスクロールすることができる。また、「非連動」が設定されている場合には、ログ表示とレベル表示のスクロールが各々独立して動作することができる。
【００６５】
さらに、パワーログ表示上に期待される所定の通信チャネルの通信が現れない場合でも、レベル表示を合わせて見ることで、その原因が所定の通信チャネルに対する信号レベルが低いためなのか、通信データが存在していないのか、通信プロトコルに応じた通信の手順を記載したシナリオの記載方法等が悪いのか、またはその他の理由なのかの分析を容易にかつ迅速に行うことができる。
【発明を実施するための最良の形態】
【００６６】
以下、図面に基づいて本発明の実施の形態を説明する。以降の説明では、デジタル通信システムのうちデジタル無線通信システムについて説明を行う。
【００６７】
なお、以降の説明では、通信プロトコルにＷ−ＣＤＭＡ方式を使用した移動通信端末１０１と、その擬似基地局となる通信試験装置１００との間の通信動作（以下「被試験通信」とも言う）を例としている。
【００６８】
また通信方向については、個別に説明が無い限り、移動通信端末１０１から通信試験装置１００への方向を「受信」または「上り」とし、通信試験装置１００から移動通信端末１０１への方向を「送信」または「下り」として説明している。
【００６９】
図１と図２は、本発明を適用したデジタル無線通信システム用の通信試験装置１００の構成を示している。また、代表的な表示例を図３と図４に示している。
【００７０】
図１と図２で示した各構成要件（各機能ブロック）を結ぶ実線の矢印は情報の流れを示しており、一点鎖線の矢印は制御線を示している。実線の矢印のうち太線の矢印はパワーログ表示９およびレベル表示５２に関する情報の流れを示している。
【００７１】
まず図１を用いて本発明の一実施例の構成を説明する。
本発明による通信試験装置１００は、移動通信端末１０１とデジタル無線通信システムとの間で所定の通信プロトコルで通信を行う擬似基地局手段１０２と、移動通信端末１０１と擬似基地局手段１０２との通信プロトコルのシーケンスに関する情報を取得しシーケンスログ情報を作成し出力するシーケンス情報取得手段１０３と、全てのまたは測定者により設定された通信チャネル（以下「所定の通信チャネル」とも言う）に対する信号の物理量を検出して検出値を作成し出力する信号物理量測定手段１０４と、シーケンス情報取得手段１０３で作成されるシーケンスログ情報および信号物理量測定手段１０４で作成される検出値でタイムスタンプとして使用するための時刻情報を発生する時刻情報発生手段１０５と、シーケンスログ情報と検出値および通信試験装置１００の動作に係る手順等を示した情報とを記憶する記憶手段１０６と、検出値とシーケンスログ情報から所定のチャネルにおける通信の有無を判定するレベル判定手段１０７と、レベル判定手段１０７が検出値に含まれたパワーレベルと比較するための入力手段１１５より入力されたスレッショルド値が設定されるスレッショルド設定手段１１４と、シーケンス情報取得手段１０３と信号物理量測定手段１０４とから、または記憶手段１０６からのシーケンスログ情報と検出値よりレベル判定手段１０７で判定された結果とを表示する表示手段１０８とから構成されている。
【００７２】
シーケンス情報取得手段１０３は、移動通信端末１０１と擬似基地局手段１０２との間の通信のシーケンスに関する情報を取得し、時刻発生手段１０５の示す第１のタイムスタンプ１１ａを関連付けてシーケンスログ情報としている。さらに、シーケンス情報取得手段１０３は、所定の通信チャネルの通信において実際に通信データが存在するかを判定するために、送信に関する通信データの有無を判定する送信データ有無判定手段１０３ａと、受信に関する通信データの有無を判定する受信データ有無判定手段１０３ｂとを含んでおり、送信に関する通信データの有無の判定結果および受信に関する通信データの有無の判定結果は第１のタイムスタンプ１１ａと関連付けられシーケンスログ情報の一部とされる。
【００７３】
以下、送信データ有無判定手段１０３ａと受信データ有無判定手段１０３ｂとをまとめて「通信データ有無判定手段」と記述することもある。
また、送信に関する通信データの有無の判定および受信に関する通信データの有無の判定をまとめて「通信データの有無の判定」とも言う。
【００７４】
信号物理量測定手段１０４は、移動通信端末１０１と擬似基地局手段１０２との間の通信に係る信号のパワー、周波数、周波数スペクトラム等の物理量を所定のサンプリング周期で検出し、時刻発生手段１０５の示す第２のタイムスタンプ１１ｂを関連付けて検出値としている。さらに、信号物理量測定手段１０４は、所定の通信チャネルにおける通信の送信に係る信号の物理量を検出する送信信号測定手段１０４ａと、受信に係る信号の物理量を検出する受信信号測定手段１０４ｂとを含んでいる。
【００７５】
記憶手段１０６は、シーケンス情報取得手段１０３で取得したシーケンスログ情報を記憶するシーケンスログ記憶部１０６ａと、信号物理量測定手段１０４で検出された検出値を記憶する検出値記憶部１０６ｂとを含んでいる。
【００７６】
レベル判定手段１０７は、所定の通信チャネルに対する検出値に含まれるパワーレベルとスレッショルド設定手段１１４に設定されたスレッショルド値と比較した結果と、シーケンスログ情報に含まれる所定のチャネルにおける通信データの有無の判定結果との論理積（ＡＮＤ条件）から所定の通信チャネルの通信の有無を判定し、パワーログ情報として出力する。
ただし、通信方式が符号分割多元接続方式以外（例えばＧＳＭ等）であった場合や、符号分割多元接続方式であってもバースト状の信号を使用する通信チャネル（例えばＷ−ＣＤＭＡ方式の場合は、ＲＡＣＨ（Ｒａｎｄｏｍ  Ａｃｃｅｓｓ  Ｃｈａｎｎｅｌ）等のバースト信号）である場合は、パワーレベルとスレッショルド値との比較だけで通信の有無を判定することができる。
【００７７】
表示手段１０８は、表示情報抽出手段１０９と、レベル表示生成手段１１０と、表示制御手段１１１と、表示部１１２と、設定選択手段１１３とを含んでいる。
【００７８】
表示情報抽出手段１０９は、設定選択手段１１３からの表示情報の抽出に係る情報に応じて、シーケンス情報取得手段１０３からのシーケンスログ情報とレベル判定手段１０７からの所定の通信チャネルにおける通信の有無の情報を含んだパワーログ情報とから表示に必要な情報等の抽出を行う。
【００７９】
レベル表示生成手段１１０は、表示情報抽出手段１０９で抽出された表示に必要な情報等から所定の通信チャネルに関する信号のパワーレベルをグラフ表示したレベル表示５２の表示に係る情報を生成する。
【００８０】
表示制御手段１１１は、表示情報抽出手段１０９、レベル表示生成手段１１０、設定選択手段１１３からの情報を受けて、シーケンスログ表示１０、パワーログ表示９、レベル表示５２等の画像データの生成および表示部１１２に画面表示させる制御を行う。
【００８１】
設定選択手段１１３は、チャネル選択手段１１３ａと、表示位置制御手段１１３ｂと、スクロール制御手段１１３ｃと、表示項目設定手段１１３ｄと、表示スケール変更手段１１３ｅと、項目選択手段１１３ｆと、パワーログ情報検索手段１１３ｇとを含んでいる。
【００８２】
チャネル選択手段１１３ａは、レベル表示５２に表示される通信チャネルの選択を行う。この通信チャネルの設定は、複数の通信チャネルについて行うことも可能である。また、通信チャネルの設定がされない場合でも、被試験通信を行う通信プロトコルに応じて通話に関する通信チャネル等を自動でデフォルトとして設定し選択することもできる。
【００８３】
なお、チャネル選択手段１１３ａによって通信チャネルの選択をすることで、ログ表示１５内のパワーログ表示９に表示される通信チャネルを特定の通信チャネルに選択することもできる。
【００８４】
表示位置制御手段１１３ｂは、ログ表示１５またはレベル表示５２に表示する対象である情報の全体の項目数やタイムスタンプの時間範囲等から表示すべき項目数や時間範囲を制御する。さらに、表示位置制御手段１１３ｂは、ログ表示１５またはレベル表示５２の表示内容が１画面に収まらない場合に、スクロール制御手段１１３ｃを起動する。
【００８５】
スクロール制御手段１１３ｃは、入力手段１１５の操作により  各々の画面に対してスクロールの指示を与える。スクロール制御手段１１３ｃは、ログ表示１５のスクロールとレベル表示５２とのスクロールを独立にスクロール可能とする動作や、ログ表示１５のスクロールとレベル表示５２とのスクロールを連動してスクロール可能とする動作を入力手段１１５で設定された内容に従い制御することができる。
【００８６】
表示項目設定手段１１３ｄは、ログ表示１５のパワーログ表示９の表示やシーケンスログ表示１０のレイヤ表示についての表示または非表示（以下「表示／非表示」とも言う）の設定ができる。
【００８７】
表示スケール変更手段１１３ｅは、レベル表示５２で表示されているグラフの時間軸（縦軸）およびパワーレベルを表す軸（横軸）の表示スケールの変更ができる。
【００８８】
項目選択手段１１３ｆは、パワーログ表示９およびシーケンスログ表示１０が合わせて時系列に表示されたログ表示１５の項目から入力手段１１５を使用して任意の項目の選択を行う。さらにログ表示画面１およびレベル表示画面５１に表示された各種ボタンの選択（押下）およびその設定項目等の選択（押下）を行う。
【００８９】
パワーログ情報検索手段１１３ｇは、表示されたパワーログ表示９から入力手段１１５より入力された検索条件に合致する項目を検索する。
【００９０】
スレッショルド設定手段１１４は、レベル判定手段１０７で所定の通信チャネルの通信の有無の判定に用いるスレッショルド値が設定されている。スレッショルド設定手段１１４は、スレッショルド値が、全て共通の設定の場合、上りと下りの通信チャネルで別々の設定の場合、測定対象の全ての通信チャネル個々に設定の場合、所定の通信チャネルに複数が設定される場合、またはその組合わせのどの状態でも対応することができる。
【００９１】
図２は、図１において構成を説明した擬似基地局手段１０２の詳細の一実施例の構成と、擬似基地局手段１０２とシーケンス情報取得手段１０３および信号物理量測定手段１０４との関係を示している。以下、図２を用いて構成を説明する。
【００９２】
擬似基地局手段１０２は、ＲＦ（Ｒａｄｉｏ  Ｆｒｅｑｕｅｎｃｙ）入出力部１０２ａ、送信処理部１０２ｂ、受信処理部１０２ｃおよび通信の送受信に関する手順（シーケンス）や送受信データの制御等を行う通信制御部１０２ｄで構成されている。
【００９３】
ＲＦ入出力部１０２ａは、移動通信端末１０１（図１記載）と通信を行うための無線信号（以下「ＲＦ信号」とも言う）を送信および受信を行う部分で、中間周波数の信号とＲＦ信号との相互の変換を行っている。
【００９４】
また、Ｗ−ＣＤＭＡ方式やｃｄｍａ２０００方式等のような同一の周波数や時間帯に複数の通信チャネルが存在する符号分割多元接続方式等を用いる通信方式においては、単純に送信および受信されているＲＦ信号の物理量を検出しても、個々の通信チャネルに関する物理量は検出できないため、送信処理部１０２ｂおよび受信処理部１０２ｃで個々の通信チャネルに関する物理量の情報を信号物理量測定手段１０４およびシーケンスに係る情報（含む通信データ）をシーケンス情報取得手段１０３に出力している。以下の説明では、物理量を「パワーレベル」に代表して説明を行う。
【００９５】
まず、送信に係る動作を説明する。
送信処理部１０２ｂは、コーダ部１０２ｂ３、拡散部１０２ｂ２、出力ＩＦ（Ｉｎｔｅｒｍｅｄｉａｔｅ  Ｆｒｅｑｕｅｎｃｙ）処理部１０２ｂ１で構成されている。
【００９６】
通信制御部１０２ｄからの各通信チャネル毎の送信データは、コーダ部１０２ｂ３に入力され、所定の通信プロトコルの規格に則ったコード化処理を行い拡散部１０２ｂ２へ出力される。また、コーダ部１０２ｂ３は、入力された送信データから各々の通信チャネルに対する送信データに関する情報を送信データ有無判定手段１０３ａに出力し、送信データ有無判定手段１０３ａは、コーダ部１０２ｂ３から入力した各々の通信チャネルに対する送信データに関する情報から送信データの有無を判定し、結果をシーケンスログ情報としている。
【００９７】
コード化され拡散部１０２ｂ２に入力された送信データは、予め通信チャネル毎に定められたチャネル化コードおよびシンボルレートに則って拡散処理が行われ、送信ベースバンド信号として出力ＩＦ処理部１０２ｂ１へ出力される。また、拡散部１０２ｂ２には、ＲＦ信号として送信される全パワーレベルが設定されており、さらに全パワーレベルに対する各通信チャネルのパワーレベルも設定されている。拡散部１０２ｂ２は、設定された全パワーレベルおよび各通信チャネルのパワーレベルを、送信信号測定手段１０４ａに出力する。送信信号測定手段１０４ａは、各通信チャネルに対するパワーレベルを検出し、検出値としている。
【００９８】
拡散処理された送信データは、出力ＩＦ処理部１０２ｂ１に入力され直交変調処理が行われ、中間周波数の信号としてＲＦ入出力部１０２ａへ出力する。ＲＦ入出力部１０２ａは入力された中間周波数の信号（送信データ）をＲＦ信号（以下「送信信号」とも言う）に変換して出力する。
【００９９】
次に、受信に係る動作を説明する。
受信処理部１０２ｃは、入力ＩＦ処理部１０２ｃ１、逆拡散部１０２ｃ２、デコーダ部１０２ｃ３で構成されている。
【０１００】
移動通信端末１０１から受信したＲＦ信号（以下「受信信号」とも言う）は、ＲＦ入出力部で中間周波数の信号に変換され、入力ＩＦ処理部１０２ｃ１に出力される。
【０１０１】
入力ＩＦ処理部１０２ｃ１に入力された中間周波数の信号は、復調処理され受信ベースバンド信号として逆拡散部１０２ｃ２に出力される。
【０１０２】
逆拡散部１０２ｃ２に入力された受信ベースバンド信号は、予め通信チャネル毎に定められたチャネル化コードおよびシンボルレートに則って逆拡散処理が行われ、各通信チャネル毎のコード化された受信データとしてデコーダ部１０２ｃ３に出力される。また、逆拡散部１０２ｃ２は、逆拡散することにより得られた全パワーレベルおよび各通信チャネルのパワーレベルに関する情報を受信信号測定手段１０４ｂに出力する。受信信号測定手段１０４ｂは、各通信チャネルに対するパワーレベルを検出し、検出値としている。
【０１０３】
デコーダ部１０２ｃ３に入力された各通信チャネル毎のコード化された受信データは、所定の通信プロトコルの規格に則ったデコード化処理を行い各通信チャネル毎の受信データとして通信制御部１０２ｄへ出力される。また、デコーダ部１０２ｃ３は、各通信チャネル毎の受信データに関する情報を、受信データ有無判定手段１０３ｂに出力し、受信データ有無判定手段１０３ｂは受信データの有無を判定し、判定結果をシーケンスログ情報としている。
ただし、Ｗ−ＣＤＭＡ方式における１つの通信チャネルであるＲＡＣＨ（Ｒａｎｄｏｍ  Ａｃｃｅｓｓ  Ｃｈａｎｎｅｌ）のようにプリアンブルを有する信号では、プリアンブル部にデータが含まれる場合であっても、装置内部の処理に使用されるため、受信データ有無判定手段１０３ｂに出力する必要はない。
【０１０４】
信号物理量測定手段１０４は、前述した構成に加え、送信されたＲＦ信号の物理量を検出して送信信号測定手段１０４ａに出力し、受信されたＲＦ信号の物理量を検出して受信信号測定手段１０４ｂに出力するＲＦ信号測定手段１０４ｃを有している。
【０１０５】
ＲＦ信号測定手段１０４ｃは、ＲＦ信号の物理量を検出可能であるため、通信プロトコルがＧＳＭ方式のように同一の周波数や時間帯に特定の通信チャネルしか存在しない通信方式の場合には個々の通信チャネルの物理量を検出することができる。
【０１０６】
また、通信プロトコルがＷ−ＣＤＭＡ方式等のように同一の周波数や時間帯に複数の通信チャネルが存在するような符号分割多元接続方式等を用いる場合においては、前述のＧＳＭ方式の物理量を検出する構成では、送信される送信信号の全パワーレベルしか測定ができないため、前述した通り送信信号に関する物理量の検出は、送信処理部１０２ｂの出力を使用して物理量を検出している。しかしＲＦ信号測定手段１０４ｃに、前述の受信処理部１０２ｃと同様の構成を備えることで、実際に出力される送信信号から、各通信チャネルのパワーレベルを検出し送信信号測定手段１０４ａに出力することもできる。なお、受信された受信信号の各通信チャネルに対する物理量の検出は、ＲＦ信号測定手段１０４ｃで同じように検出を行っても良いし、同様の構成である受信処理部１０２ｃで検出を行っても良い。
【０１０７】
図３は、本発明を実施した通信試験装置１００のログの表示に関する画面の一実施例を示している。図面を基に画面の構成を以下に説明する。
【０１０８】
ログ表示画面１は、各機能を実行するファンクションボタン２〜７と、後述する表示で構成されたログ表示１５と、ログ表示１５に表示された各項目の選択状況を示す項目選択表示１２と、ログ表示１５のスクロールを行うスクロールバー１３と、ログ表示１５上の項目選択表示１２で選択状態とされた項目に関連する詳細の情報を示す詳細情報表示１４とで構成され、表示されている。
【０１０９】
ファンクションボタン２〜７は、試験を起動する開始ボタン（Ｓｔａｒｔ）２と、試験を終了する停止ボタン（Ｓｔｏｐ）３と、各種設定を行うオプション設定ボタン（Ｏｐｔｉｏｎ）４と、後述するレベル表示画面５１を表示するレベル表示設定ボタン（Ｐｏｗｅｒ）５と、表示または取得したデータを記憶するためのセーブボタン（Ｓａｖｅ）６と、記憶されたデータを呼び出すロードボタン（Ｌｏａｄ）７とから構成されている。
【０１１０】
ログ表示１５は、所定の通信チャネルの信号の検出値に含まれるパワーレベルおよびシーケンスログ情報に含まれる通信データの有無の判定結果からレベル判定手段１０７により通信の有無が判定されたパワーログ情報から通信の有無を識別可能として時系列に並べて表示したパワーログ表示９と、通信におけるシーケンスログ情報を時系列に並べて表示したシーケンスログ表示１０と、パワーログ情報から表示情報抽出手段１０９で抽出された各項目が有する第１または第２のタイムスタンプ（１１ａ，１１ｂ）と、シーケンスログ情報から表示情報抽出手段１０９で抽出された各項目が有する第１のタイムスタンプ１１ａとを表示したタイムスタンプ１１と、タイムスタンプ１１の示す時刻でシーケンスログ表示１０とパワーログ表示９を合わせて時系列に並べられた各項目（行）の番号を表した項目番号表示８とで構成されている。
【０１１１】
図４は、本発明を実施した通信試験装置１００の所定の通信チャネルに関する信号のパワーレベルの表示に関する画面の一実施例を示している。図面を基に画面の構成を以下に説明する。
【０１１２】
レベル表示画面５１は、所定の通信プロトコルにおける所定の通信チャネルの信号の検出値に含まれるパワーレベルを時間軸で表示するレベル表示５２と、レベル表示５２に表示されている時間軸の時刻を表す時間軸タイムスタンプ５５と、ログ表示１５で選択された項目が有するタイムスタンプ１１の示す時刻に最も近接する第２のタイムスタンプ１１ｂの時間軸上の位置を表すカーソル５６と、レベル表示５２のスクロールを行うスクロールバー５７と、レベル表示５２に表示する下り方向の通信チャネルを指定可能とする下りチャネル設定ボタン（ＤＬＣＨ）５８と、レベル表示５２に表示する上り方向の通信チャネルを指定可能とする上りチャネル設定ボタン（ＵＬＣＨ）５９とで構成され表示されている。
【０１１３】
前述のレベル表示５２は、下りチャネルのパワーレベルをグラフ表示した下りチャネルレベル表示５３と、上りチャネルのパワーレベルをグラフ表示した上りチャネルレベル表示５４とから構成され、表示されている。
【０１１４】
図４の例では、下りチャネルレベル表示５３、上りチャネルレベル表示５４で共通に使用するために縦軸は時間軸として、横軸はパワーレベルを示す軸としてレベル表示５２に表示している。
【０１１５】
時間軸には、下りチャネルレベル表示５３、上りチャネルレベル表示５４に表示されたパワーレベルを示すグラフがいつの時刻か識別可能とするために、表示されたパワーレベルに対応する検出値が有する第２のタイムスタンプ１１ｂを元に所定の間隔で時間軸タイムスタンプ５５を表示する。
【０１１６】
下りチャネルレベル表示５３は、レベル表示５２を行う下りチャネルのチャネル名称を表したチャネル名５３ｂと、そのチャネル名５３ｂで表されたチャネルに対して所定のサンプリング周期で測定された検出値からパワーレベルを所定の時間範囲に対してプロット表示または直線補間等で表示した検出値レベル５３ｃと、パワーログ表示９に表示する下り方向の通信の有無を判定するスレッショルド値を表示した下りチャネルスレッショルド値５３ｄとで構成され、表示される。
【０１１７】
上りチャネルレベル表示５４は、レベル表示５２を行う上りチャネルのチャネル名称を表したチャネル名５４ｂと、そのチャネル名５４ｂで表されたチャネルに対して所定のサンプリング周期で測定された検出値からパワーレベルを所定の時間範囲に対してプロット表示または直線補間等で表示した検出値レベル５４ｃと、パワーログ表示９に表示する上り方向の通信の有無を判定するスレッショルド値を表示した上りチャネルスレッショルド値５４ｄとで構成され、表示される。
【０１１８】
なお、前述の説明では検出値レベル５３ｃ、５４ｃの表示はプロット表示または直線補間と説明しているが、他の補間方法を利用して表示しても良い。
【０１１９】
（実施例１）
図３の表示を実現する動作について、図１および図２の構成の動作を併せて説明を行う。
【０１２０】
通信試験装置１００は、Ｗ−ＣＤＭＡ方式の通信プロトコルに従って擬似基地局手段１０２を介して移動通信端末１０１と通信を行う。擬似基地局手段１０２による通信は、通信試験装置１００に予め定められた動作手順（以下「登録動作手順」とも言う）に基づいて動作しても良いし、動作手順を定義した不図示のファイル等（以下「シナリオ」とも言う）を通信試験装置１００に登録し、それに基づいて動作しても良い。登録動作手順およびシナリオは、記憶手段１０６に記憶されており、擬似基地局手段１０２、シーケンス情報取得手段１０３、信号物理量測定手段１０４、表示手段１０８からアクセスが可能である。
【０１２１】
また、個別の通信チャネルを示す「チャネル名称」は通信試験を行う通信プロトコル（本説明ではＷ−ＣＤＭＡ）で決定されており、登録動作手順およびシナリオで定義される。また通信で送受信されるメッセージの種類も「メッセージタイプ」として通信プロトコル（本説明ではＷ−ＣＤＭＡ）で決定されており、登録動作手順およびシナリオで定義される。各通信チャネルの通信内容を拡散（スペクトラム拡散処理）および逆拡散（スペクトラム逆拡散処理）を行うための「チャネル化コード」およびそのコードでの通信速度を決定する「シンボルレート」についても、通信試験に際して登録動作手順およびシナリオで各通信チャネルと関連付けられて定義される。
【０１２２】
被試験通信によって得られたシーケンスに関する情報は、シーケンス情報取得手段１０３で監視および判定された被試験通信に係る通信チャネル、通信データの有無の判定結果、通信の行われたレイヤ（図３の例では「ＰＨＹ（Ｐｈｙｓｉｃａｌ  ｌａｙｅｒ：物理層）」、「ＭＡＣ（Ｍｅｄｉｕｍ  Ａｃｃｅｓｓ  Ｃｏｎｔｒｏｌ：中間アクセス制御）」、「ＲＬＣ（Ｒａｄｉｏ  Ｌｉｎｋ  Ｃｏｎｔｒｏｌ：無線接続制御）」、「ＲＲＣ（Ｒａｄｉｏ  Ｒｅｓｏｕｒｃｅ  Ｃｏｎｔｒｏｌ：無線資源制御）」で表されているが、通信プロトコルや通信試験装置１００の内部構成により表示される内容およびその名称は異なる）、通信の方向、通信の内容等の各情報と、その情報を取得したときの時刻情報発生手段１０５が示す時刻を第１のタイムスタンプ１１ａとして関連付けられ、シーケンスログ情報とされ、表示手段１０８内の表示情報抽出手段１０９で抽出処理されて表示に必要な情報が表示制御手段１１１を介して表示器１１２に表示されたログ表示画面１上のログ表示１５にシーケンスログ表示１０として表示される。
【０１２３】
表示情報抽出手段１０９での抽出処理は、例えばシーケンスログ情報に含まれた各通信レイヤに関するシーケンスログ情報を、それらが有する第１のタイムスタンプ１１ａとに基づいて、ＰＨＹレイヤ−ＭＡＣレイヤ間の表示１０ａ、ＭＡＣレイヤ−ＲＬＣレイヤ間の表示１０ｂ、ＲＬＣレイヤ−ＲＲＣレイヤ間の表示１０ｃに分類し、各シーケンスの通信の方向を判定し、各通信レイヤに関するシーケンスログ情報の有する第１のタイムスタンプ１１ａに従って時系列順に並べる等を行う。
このとき、シーケンスログ表示１０の表示に必要の無い情報は抽出されない。
【０１２４】
また、各通信レイヤに関するシーケンスログ情報が有する第１のタイムスタンプ１１ａは、上記抽出処理にてシーケンスログ表示１０に表示された対応する項目と同一の行にタイムスタンプ１１として表示される。
【０１２５】
シーケンスログ情報は、通信の有無を判定するためにレベル判定手段１０７と表示情報抽出手段１０９に送付されるとともに、記憶手段１０６内のシーケンスログ記憶部１０６ａに記憶される。
【０１２６】
過去の被試験通信に対しては、表示手段１０８がシーケンスログ記憶部１０６ａを制御し、記憶されたシーケンスログ情報をシーケンスログ記憶部１０６ａから読み出し、シーケンスログ情報はレベル判定手段１０７と表示情報抽出手段１０９に送付され、シーケンスログ表示１０を表示することもできる。
【０１２７】
続いて、パワーログ表示９（９ａ、９ｂ、９ｃ、９ｄ）を実現する動作について説明をう。
パワーログ表示９は、信号物理量測定手段１０４で検出され第２のタイムスタンプ１１ｂと関連付けられた検出値と、シーケンス情報取得手段１０３で取得され第１のタイムスタンプ１１ａと関連付けられた通信データの有無の判定結果とから生成されている。
ただし、前述したように通信方式が符号分割多元接続方式以外であった場合や、符号分割多元接続方式であってもバースト状の信号を使用する通信チャネルである場合は、パワーレベルとスレッショルド値との比較だけで通信の有無を判定することができる。
【０１２８】
信号物理量測定手段１０４で検出された検出値に含まれる所定の通信チャネルに関するパワーレベルは、レベル判定手段１０７で予めスレッショルド設定手段１１４に設定されたスレッショルド値と比較され、パワーレベルがスレッショルド値より大きい（または以上）場合に通信が「有り」と判定され、その判定結果に判定した検出値が有する第２のタイムスタンプが関連付けられパワーログ情報として表示情報抽出手段１０９に出力される。
【０１２９】
例えば、通信方式が符号分割多元接続方式の場合は、信号のパワーレベルだけでは所定の通信チャネルの通信の有無を判定できない。その場合は、レベル判定手段１０７は、シーケンスログ情報に含まれる所定の通信チャネルに係る通信データの有無の判定結果情報を前述のパワーレベルによる通信の有無の判定条件に加えることによって最終的な通信の有無を判定し、パワーログ情報として表示情報抽出手段１０９に出力する。
【０１３０】
この場合、通信の有無の判定結果には、最終的に通信の有無を判定した情報（シーケンスログ情報または検出値）の有するタイムスタンプが関連付けられてパワーログ情報とされる。すなわち、所定の通信チャネルの検出値のパワーレベルがスレッショルド値より大きく（または以上）となってから、シーケンスログ情報の対応する通信チャネルの通信データの有無の判定結果が「有り」となった場合は、パワーログ情報にはシーケンスログ情報の有する第１のタイムスタンプが関連付けられている。
この検出値とシーケンスログ情報の前後関係は、それぞれが有するタイムスタンプによって判断される。
【０１３１】
レベル判定手段１０７での判定は次の手順で行われる。
ステップ１：入力された検出値が所定の通信チャネルのものか判定する。
ステップ２：所定の通信チャネルの検出値だった場合、予めスレッショルド設定手段１１４に設定された対応するスレッショルド値と比較する。
ステップ３：比較した結果、検出値がスレッショルド値より大きい（または以上）場合は通信が「有り」として、以下（または小さい）場合は通信が「無し」として、判定対象の検出値が有する第２のタイムスタンプを関連付けて第１の判定結果とする。
ステップ４：入力されたシーケンスログ情報に含まれる通信データの有無の判定結果が所定の通信チャネルのものか判定する。
ステップ５：所定の通信チャネルに対する通信データの有無の判定結果の場合は、判定結果を確認する。
ステップ６：通信データの有無の判定結果が「通信データ有り」の場合は通信が「有り」として、通信データの有無の判定結果が「通信データ無し」の場合は通信が「無し」として、判定対象のシーケンスログ情報が有する第１のタイムスタンプを関連付けて第２の判定結果とする。
ステップ７：第２の判定結果が「有り」の場合、その時刻を示す第１のタイムスタンプ以前で最も近接する時刻を示すタイムスタンプ探す。
近接したタイムスタンプを有する判定結果が第１の判定結果であり、かつ通信が「有り」の場合は、最終的な判定結果を「有り」として第１の判定結果が有する第２のタイムスタンプを関連付けてパワーログ情報とする。ここで第１の判定結果が「無し」の場合は、最終的な判定結果を「無し」とする。
ステップ８：ステップ１からステップ７を通信試験が終了するまで繰り返す。
【０１３２】
通信データの有無の判定が不要の場合は、上記ステップ３の第１の判定結果が最終的な判定結果となり、ステップ１からステップ３が繰り返される。
さらにパワーログ情報は、表示情報抽出手段１０９で表示情報が抽出され、パワーログ表示９として表示される。
【０１３３】
過去の被試験通信に対しては、表示手段１０８が記憶部１０６を制御し、記憶された検出値とシーケンスログ情報をそれぞれの記憶部から読み出し、検出値とシーケンスログ情報（通信データの有無の判定結果）は、レベル判定手段１０７に送付され、通信の有無が判定されて表示情報抽出手段を介してパワーログ表示９を表示することもできる。
【０１３４】
パワーログ表示９は、所定の通信チャネルの通信の有無状態の表示に対して「無し」から「有り」へと変化したときは実線の矢印等（９ａ、９ｃ）で、「有り」から「無し」へと変化したときは点線の矢印等（９ｂ、９ｄ）で識別可能としている。ただし、この表示は識別可能とすることが目的であるため、異なる色等で表示しても良い。
【０１３５】
パワーログ表示９に表示する所定の通信チャネルの通信の有無の状態は、信号物理量測定手段１０４のサンプリング周期毎に表示しても良いが、パワーログ表示９に表示する項目数が膨大となるため、通信が「有り」から「無し」へと変化したとき、および「無し」から「有り」へと変化したときのみ表示すれば目的を達成できる。
【０１３６】
さらに、パワーログ表示９は、複数の通信チャネルの通信の有無を表示するときにおいても線種や色を変えることで識別可能に表示することができる。
【０１３７】
（実施例２）
図３の表示に関する他の実施例について以下に説明を行う。
【０１３８】
詳細情報表示１４には、前述したログ表示１５において項目選択表示１２で選択された項目に関する詳細情報が表示される。選択された項目がシーケンスログ表示１０に係る項目である場合は、詳細情報表示１４には、例えば「基地局番号」（複数基地局の場合）、「チャネル名称」、「メッセージタイプ」、「メッセージデータ」、「送信元レイヤ名」、「受信先レイヤ名」等の詳細表示が表示される。これらの詳細情報は、記憶手段１０６に記憶されたシーケンスログ情報から抽出され表示されている。
詳細情報表示１４に、常に最新の情報を表示する場合は、シーケンス情報取得手段１０３からのシーケンスログ情報をそのまま使用しても良い。
【０１３９】
また、詳細情報表示１４に表示されるメッセージデータは、実際に通信される通信内容を所定のフォーマットで表示したものである。
送信元レイヤ名、受信先レイヤ名は通信プロトコルや通信試験装置１００の内部構成により表示される内容およびその名称が定義される。
【０１４０】
選択された項目がパワーログ表示９に係る項目である場合は、詳細情報表示１４には例えば「チャネル名称」、「パワーレベル値」、「チャネル化コード」、「シンボルレート」等の詳細表示が表示される。これらの詳細情報は、記憶手段１０６に記憶された検出値と登録動作手順やシナリオで定義された情報とから抽出され表示されている。
詳細情報表示１４に、常に最新の情報を表示する場合は、信号物理量測定手段１０４からの検出値をそのまま使用しても良い。
【０１４１】
詳細情報表示１４に表示される基地局番号は、通信試験で擬似基地局が複数の基地局を擬似する場合に、選択された項目がどの基地局かを識別可能とするために登録動作手順やシナリオにより定義される。
【０１４２】
前述したように、登録動作手順およびシナリオでチャネル名称、チャネル化コード、シンボルレートの関連が定義されているため、これら定義された情報を元に特定の通信チャネルに関する物理量を検出可能となり、各々の通信チャネルのパワーレベルを抽出し表示することができる。
【０１４３】
（実施例３）
図４の表示を実現する動作について、図１の構成の動作を併せて説明を行う。
【０１４４】
レベル表示画面５１は、ログ表示画面１に表示されたログ表示１５から入力手段１１５を用いて項目選択表示１２で識別された項目を選択し、レベル表示設定ボタン５を選択（押下）することで表示される。
【０１４５】
ログ表示１５に表示された内容は、試験中の被試験通信の内容でも良いし、過去に通信試験を行い記憶手段１０６に記憶された情報でも良い。当然、レベル表示画面５１に表示される内容は、ログ表示画面１に表示されたログ表示１５と同一の試験で検出された内容であることは言うまでも無く、過去の通信試験に関する情報は記憶手段１０６から呼び出されて表示される。
【０１４６】
レベル表示画面５１に表示されたレベル表示５２には、前述の項目選択表示１２で選択された項目のタイムスタンプ１１に最も近接する第２のタイムスタンプ１１ｂの時刻を基に所定の時間範囲の検出値レベル５３ｃ，５４ｃ（「パワーレベル」とも言う）が表示される。
【０１４７】
またこの選択された項目のタイムスタンプ１１に最も近接した第２のタイムスタンプ１１ｂは、カーソル５６と共に識別可能なように時間軸タイムスタンプ５５としてレベル表示５２の時間軸上の略中央に表示される。ただし、この表示は時間軸上の略中央に限定するものでは無く、用途に応じて表示された時間軸上の最古または最新に表示することもできる。
【０１４８】
ただし、カーソル５６が表示された場所に時間軸タイムスタンプ５５が必ず表示される必要は無い。
【０１４９】
下りチャネルレベル表示５３には、予め指定された下りの通信チャネルに対する検出値から所定の時間範囲の間の第２のタイムスタンプ１１ｂを有する検出値を表示情報抽出手段１０９で抽出し、レベル表示生成手段１１０でグラフ化処理を行って検出値レベル５３ｃとして表示する。
【０１５０】
上りチャネルレベル表示５４には、予め指定された上りの通信チャネルに対する検出値から所定の時間範囲の間の第２のタイムスタンプ１１ｂを有する検出値を表示情報抽出手段１０９で抽出し、レベル表示生成手段１１０でグラフ化処理を行って検出値レベル５４ｃとして表示する。
【０１５１】
ここでは表示される通信チャネルは予め指定されているとして説明しているが、ログ表示１５で選択した項目に対応する通信チャネルを項目選択手段１１３ｆで検出し、自動的に選択した項目に関連する通信チャネルのレベルを表示しても良い。
【０１５２】
また、図５に示すように、下りチャネル設定ボタン５８を選択（押下）することで、下りチャネルレベル表示５３に表示可能な下り方向の通信チャネルを選択可能に表示し、表示されたボタン５８ａ１〜５８ａ４から表示する通信チャネルに相当するボタンを選択し、表示する通信チャネルを変更することができる。
【０１５３】
当然、上りチャネルレベル表示５４についても同様に上りチャネル設定ボタンを選択（押下）することで表示する上り方向の通信チャネルを変更することもできる。
【０１５４】
図６に示すように、レベル表示５２で複数の通信チャネルに関するパワーレベルを表示させることもできる。図５で説明したように下りチャネル設定ボタン５８、上りチャネル設定ボタン５９を選択（押下）した後に、複数の通信チャネルを選択５８ａ１、５８ａ２、５９ａ１，５９ａ２することで表示ができる。
【０１５５】
複数の通信チャネルを選択する方法は、入力手段１１５がマウス等の場合は、例えば、右クリックで選択し、左クリックで決定する等も可能である。また、キーボードを併用する場合は、例えば、コントロールキーを押しながらマウス等で左クリックして選択し、確定キーで決定する等もできる。
【０１５６】
また、レベル表示５２は、その表示範囲に対応する時間範囲を超えて信号物理量測定手段１０４で検出された検出値がある場合に、スクロールバー５７により画面をスクロールさせて現在表示されている時間範囲外の検出値レベル５３ｃ，５４ｃを表示することができる。
【０１５７】
スクロールバー５７には、全体の検出値の時間範囲またはデータ量に対し現在レベル表示５２に表示されている時間範囲またはデータ量に相関してその大きさを変化させる表示位置ブロック５７ａがある。また表示位置ブロック５７ａは、レベル表示５２のスクロールと共にスクロールバー５７上の位置を移動することで現在表示中の検出値レベル５３ｃ，５４ｃが全体の検出値の時間範囲または検出値の全体量（データ量）に対しての位置と範囲を識別できる。
【０１５８】
レベル表示５２のスクロールは、入力手段１１５がマウス等の場合は、表示位置ブロック５７ａをドラッグ等して移動させても良いし、マウス上のホイール等を使用してスクロールさせても良い。また、入力手段１１５がキーボードの場合はカーソルキー等でカーソル５６を移動させることでスクロールをしても良い。
【０１５９】
下りチャネルレベル表示５３、上りチャネルレベル表示５４には、表示された各通信チャネルの通信に対してレベル判定手段１０７でそれぞれ通信の有無を判定するためにスレッショルド設定手段１１４に設定されたスレッショルド値がそれぞれ下りチャネルスレッショルド値５３ｄ、上りチャネルスレッショルド値５４ｄとして表示されている。
【０１６０】
この表示されたスレッショルド値５３ｄ、５４ｄは、スレッショルド設定手段１１４に設定されたスレッショルド値が、全て共通の設定の場合、上りと下りの通信チャネルで別々の設定の場合、測定対象の全ての通信チャネル個々に設定の場合、所定の通信チャネルに複数の設定の場合、またはその組合わせのどの状態でも対応ができる。
【０１６１】
（実施例４）
図７は、ログ表示画面１上のログ表示１５とレベル表示画面５１上のレベル表示５２のスクロール動作の設定を変更する動作を示している。以下図７を用いて説明を行う。
【０１６２】
ログ表示画面１上のオプション設定ボタン４を入力手段１１５から選択（押下）するとオプション選択表示４ａが表示される。オプション選択表示４ａからスクロールボタン（Ｓｃｒｏｌｌ）４ａ３を選択するとスクロールオプション設定表示４ａ３ａが表示される。スクロールオプション設定表示４ａ３ａには、ログ表示１５とレベル表示５２のスクロール動作を「連動させる」ＯＮボタン４ａ３ａ１と「連動しない（独立して動作）」ＯＦＦボタン４ａ３ａ２とが表示され、選択可能となっている。
【０１６３】
ＯＮボタン４ａ３ａ１（連動させる）が選択された場合、その内容はスクロール制御手段１１３ｃに設定され、表示情報抽出手段１０９、レベル表示生成手段１１０、表示制御手段１１１を制御してログ表示１５とレベル表示５２のスクロール動作が連動して動作するようになる。
【０１６４】
スクロール動作が連動するとは、ログ表示画面上のスクロールバー１３および表示位置ブロック１３ａを操作してログ表示１５をスクロールさせたとき、ログ表示１５に表示された項目のタイムスタンプ１１の時間範囲に相当する時間範囲またはログ表示１５に表示された項目のタイムスタンプ１１の中心（または最新や最古）の時間に対する所定の時間範囲のパワーレベルをレベル表示５２に行う動作である。
【０１６５】
同様に、レベル表示画面５１上のスクロールバー５７および表示位置ブロック５７ａを操作した場合も、レベル表示５２のスクロール動作に応じてログ表示１５がスクロールする。ログ表示１５に表示される範囲についても、レベル表示５２に表示された時間範囲に相当する時間範囲またはレベル表示５２に表示された時間範囲の中心（または最新や最古）の時間に対して所定の項目数をログ表示１５に表示することもできる。
【０１６６】
また、項目選択表示１２およびカーソル５６の移動に伴う画面のスクロールについても同様に動作することは言うまでも無い。
【０１６７】
ＯＦＦボタン４ａ３ａ２（連動しない）が選択された場合、その内容はスクロール制御手段１１３ｃに設定され、表示情報抽出手段１０９、レベル表示生成手段１１０、表示制御手段１１１を制御してログ表示１５とレベル表示５２のスクロール動作が独立して動作するようになる。
【０１６８】
また、項目選択表示１２およびカーソル５６の移動に伴う画面のスクロールについても同様に独立して動作することは言うまでも無い。ただし、項目選択表示１２によりログ表示１５上の項目が選択された場合は、項目選択時の動作（レベル表示画面５１を表示する等）に従う。
【０１６９】
（実施例５）
図８は、レベル表示５２の時間軸を変更する動作を示している。以下図８を用いて説明を行う。
【０１７０】
ログ表示画面１上のオプション設定ボタン４を入力手段１１５から選択（押下）するとオプション選択表示４ａが表示される。オプション選択表示４ａからパワーボタン（Ｐｏｗｅｒ）４ａ２を選択するとパワーオプション選択表示４ａ２ａが表示される。パワーオプション選択表示４ａ２ａからスケールボタン（Ｓｃａｌｅ）４ａ２ａ２を選択するとスケール設定表示４ａ２ａ２ａが表示される。
【０１７１】
スケール設定表示４ａ２ａ２ａには、スケール設定欄４ａ２ａ２ｂがあり、入力手段１１５から入力可能となっている。本図では、時間軸の設定を行う例であり、レベル表示５２に表示されるグラフの時間軸のスケールを基準単位（例えばサンプリング周期に対応）である１０ｍｓ等に対し拡大倍率の設定をしている。
【０１７２】
時間軸スケール設定欄４ａ２ａ２ｂに設定され、確定された値は、表示スケール変更手段１１３ｅを通して表示情報抽出手段１０９、レベル表示生成手段１１０に設定され、レベル表示５２の時間軸を変更して表示される。
【０１７３】
本図では時間軸の変更について説明しているが、スケール設定表示４ａ２ａ２ａにパワーレベル軸スケールを設定する設定欄を設けることでパワーレベル軸のスケール変更もできる。
【０１７４】
時間軸を変更したとき、レベル表示５２に表示されるポイントは、ログ表示１５上で項目選択表示１２により選択された項目のタイムスタンプ１１に最も近接する第２のタイムスタンプ１１ｂを有する検出値の個所を中心（または最上部、または最下部）に表示しても良いし、レベル表示５２上のカーソル５６を中心（または最上部、または最下部）に表示しても良い。
【０１７５】
（実施例６）
図９は、ログ表示１５で表示されるパワーログ表示９の表示または非表示、およびシーケンスログ表示１０で表示する通信の各レイヤ表示の表示または非表示を設定する方法を示している。
【０１７６】
ログ表示画面１上のオプション設定ボタン４を入力手段１１５から選択（押下）するとオプション選択表示４ａが表示される。オプション選択表示４ａからフィルタボタン（Ｆｉｌｔｅｒ）４ａ１を選択するとフィルタ設定表示４ａ１ａが表示される。フィルタ設定表示４ａ１ａには、表示または非表示の設定が可能なパワーログ表示９を含む通信の各レイヤに対応した表示／非表示設定ボタン４ａ１ａ１〜４ａ１ａ８が表示されている。
【０１７７】
表示／非表示設定ボタンは上り方向（Ｕｐ  Ｌｉｎｋ）用のＭＳ−ＰＨＹ表示／非表示設定ボタン（ＭＳ→ＰＨＹ）４ａ１ａ１、ＰＨＹ−ＭＡＣ表示／非表示設定ボタン（ＰＨＹ→ＭＡＣ）４ａ１ａ２、ＭＡＣ−ＲＬＣ表示／非表示設定ボタン（ＭＡＣ→ＲＬＣ）４ａ１ａ３、ＲＬＣ−ＲＲＣ表示／非表示設定ボタン（ＲＬＣ→ＲＲＣ）４ａ１ａ４と、下り方向（Ｄｏｗｎ  Ｌｉｎｋ）用のＰＨＹ−ＭＳ表示／非表示設定ボタン（ＰＨＹ→ＭＳ）４ａ１ａ５、ＭＡＣ−ＰＨＹ表示／非表示設定ボタン（ＭＡＣ→ＰＨＹ）４ａ１ａ６、ＲＬＣ−ＭＡＣ表示／非表示設定ボタン（ＲＬＣ→ＭＡＣ）４ａ１ａ７、ＲＲＣ−ＲＬＣ表示／非表示設定ボタン（ＲＲＣ→ＲＬＣ）４ａ１ａ８で構成されている。
【０１７８】
表示／非表示設定ボタン４ａ１ａ１〜４ａ１ａ８がＯＮ状態（表示設定、図では太枠表示）となっている場合は、パワーログ表示９およびシーケンスログ表示１０にＯＮ状態のボタンに対応する通信のレイヤを表示する。また表示／非表示設定ボタン４ａ１ａ１〜４ａ１ａ８がＯＦＦ状態（非表示設定、図では細枠表示）となっている場合は、パワーログ表示９およびシーケンスログ表示１０にＯＦＦ状態のボタンに対応する通信のレイヤを非表示とする。
【０１７９】
表示／非表示設定ボタン４ａ１ａ１〜４ａ１ａ８は、選択（押下）される度にＯＮ状態とＯＦＦ状態が切り替わるようになっており、簡単に設定を切り替えることができる。入力手段１１５で入力された表示または非表示の情報は、表示項目設定手段１１３ｄに設定され、表示制御手段１１１に通知される。表示制御手段１１１は、表示情報抽出手段１０９で抽出された全レイヤの表示情報のうち、該当する通信のレイヤの表示または非表示を制御する。
【０１８０】
ここまでは、表示項目設定手段１１３ｄの設定情報を基に表示制御手段１１１が表示または非表示を制御するように説明したが、表示情報抽出手段１０９で表示するレイヤの表示情報のみ抽出しても良い。
【０１８１】
（実施例７）
図１０は、レベル判定手段１０７が、所定の通信チャンネルの通信の有無を判定するためのスレッショルド値を入力手段１１５からスレッショルド設定手段１１４に設定する方法を示している。
【０１８２】
また、図１０には、スレッショルド設定手段に設定されたスレッショルド値を変更した場合にレベル表示５２に表示される下りチャネルスレッショルド値５３ｄ、上りチャネルスレッショルド値５４ｄ（以下、まとめて「スレッショルド値表示」とも言う）が変化する様子も示している。
【０１８３】
ログ表示画面１上のオプション設定ボタン４を入力手段１１５から選択（押下）するとオプション選択表示４ａが表示される。オプション選択表示４ａからパワーボタン４ａ２を選択するとパワーオプション選択表示４ａ２ａが表示される。パワーオプション選択表示４ａ２ａからスレッショルド設定ボタン（Ｔｈｒｅｓｈｏｌｄ）４ａ２ａ３を選択するとスレッショルド設定表示４ａ２ａ３ａが表示される。
【０１８４】
スレッショルド設定表示４ａ２ａ３ａには、スレッショルド設定欄４ａ２ａ３ｂがあり、入力手段１１５からスレッショルド値が入力可能となっている。本図では、スレッショルド設定手段１１４に設定されるスレッショルド値が１種類の場合を示している。
【０１８５】
スレッショルド設定欄４ａ２ａ３ｂに設定され、確定された値は、スレッショルド設定手段１１４に設定され表示情報抽出手段１０９を通して、レベル表示生成手段１１０に設定され、レベル表示５２に変更後のスレッショルド値表示５３ｄ、５４ｄとして表示される。
【０１８６】
図１０のレベル表示５２には、スレッショルド値が変更された場合のスレッショルド値表示５３ｄ、５４ｄの変る様子を示している。従来設定されていたスレッショルド値に対応するスレッショルド値表示５３ｆ、５４ｆ（説明上の仮想線）が、前述のスレッショルド値の設定変更操作により変更後のスレッショルド値表示５３ｄ、５４ｄ（こちらが実際に表示される）に変っている。
【０１８７】
なお、本説明では、スレッショルド値が共通の場合を示しているが、スレッショルド設定手段１１４に複数の種類のスレッショルド値が設定可能な場合は、スレッショルド設定欄４ａ２ａ３ｂも種類毎に用意され、レベル表示５２に表示されるスレッショルド値表示も設定されたスレッショルド値の種類毎に個別に表示位置（パワーレベル）を変える。
【０１８８】
（実施例８）
図１１は、レベル判定手段１０７が、所定の通信チャネルの通信の有無を判定するためのスレッショルド値の他に、別の意味（例えば製品の良否判断基準）を持った判定を行うための他のスレッショルド値（以下「製品スレッショルド値」とも言う）がスレッショルド設定手段１１４に設定された場合の動作を示している。
【０１８９】
ここまでに説明されたように、レベル判定手段１０７が所定の通信チャネルの通信の有無を判定するためのスレッショルド値は、レベル表示５２上にスレッショルド値表示５３ｄ、５４ｄで示されている。
【０１９０】
以下にスレッショルド設定手段１１４に測定対象となる移動通信端末１０１の製品レベルの良否を判定するための製品スレッショルド値が設定されていた場合について説明する。
【０１９１】
通常、レベル判定手段１０７で所定の通信チャネルの通信の有無を判定するためのスレッショルド値は、通信方式を定義する規格（本説明のＷ−ＣＤＭＡでは３ＧＰＰ規格等）に掲載された値を参照して決定される。しかし、製品である移動通信端末１０１は、規格値を保証するために規格で規程された値に対してマージンを持った判定基準を用いて製品の良否を判定するのが通常である。
【０１９２】
実際の測定において、製品の良否を判定するためのマージンを持ったスレッショルド値により所定の通信チャネルの通信の有無を判定した場合、たとえ動作が異常だったとしても通信自体が正常に行われなかったのか、信号のレベルが製品として不良だったのかが判断できない。
【０１９３】
そこで、本発明は、規格値を満足して通信が行われたかを判定するためのスレッショルド値と、製品の良否を表す製品スレッショルド値を個別に設定可能とすることで本問題を解決している。
【０１９４】
製品スレッショルド値は、スレッショルド値同様にスレッショルド設定手段１１４に設定され、レベル判定手段１０７で良否が判定される。
【０１９５】
また、設定された製品スレッショルド値は、レベル表示５２上にスレッショルド値表示５３ｄ，５４ｄと同様に製品スレッショルド値表示５３ｅ，５４ｅとして識別可能に表示される。
【０１９６】
パワーログ表示９についても、所定の通信チャネルの通信が「有り」から「無し」となる間に、信号のパワーレベルが製品スレッショルド値を超えない場合や一度超えても下回ってしまう場合は、製品不良発生表示９ｅ等を表示して識別可能とする。
【０１９７】
（実施例９）
図１２には、所定の通信チャンネルの通信の有無をレベル判定手段１０７でヒステリシス特性を持って判定するための２種類のスレッショルド値がスレッショルド設定手段１１４に設定されたときのレベル表示５２に表示される第１のスレッショルド値表示５３ｇ、５４ｇと第２のスレッショルド値表示５３ｆ、５４ｆとの例が示されている。
【０１９８】
スレッショルド設定手段１１４は、前述した複数のスレッショルド値を設定する方法を用いて、レベル判定手段１０７が所定の通信チャネルにおける通信が有りと判定するための第１のスレッショルド値と、レベル判定手段１０７が所定の通信チャネルにおける通信が無しと判定するための第２のスレッショルド値とが設定可能である。
【０１９９】
以下に、第１および第２のスレッショルド値が上りの通信と下りの通信と全ての通信チャネルとに共通の１組の値として説明を行うが、１組の値に限るものではなく、通信の上りと下りに個々に対応して第１および第２のスレッショルド値が設定されても良いし、通信チャネル毎に各々第１および第２のスレッショルド値が設定されても良い。
【０２００】
所定の通信チャネルの通信の有無を判定するためのスレッショルド値が単一の値の場合、所定の通信チャネルの通信の信号のパワーレベルが、設定されたスレッショルド値（パワーレベル）の近傍にあるとき、レベル判定手段１０７で判定された通信の有無の状態が不安定（通信の有りと無しが頻繁に切り替わる状態）となってしまう。
【０２０１】
それを解決するために、レベル判定手段１０７は、第１と第２のスレッショルド値を用いて、信号物理量測定手段１０４で検出した離散的検出値から所定の通信チャネルの通信の信号のパワーレベルが第１のスレッショルド値を上回ったとき通信有りと判定し、通信有りとなった後に、信号物理量測定手段１０４で検出した離散的検出値から所定の通信チャネルの通信の信号のパワーレベルが第２のスレッショルド値を下回ったとき通信無しと判定する。この動作により、判定された通信の有無の状態が不安定になることがない。
【０２０２】
上記動作を実現するために、第１のスレッショルド値は第２のスレッショルド値より大きな値（大きなパワーレベル）が設定される必要がある。この第１と第２のスレッショルド値の大小関係は、入力欄に対する入力値制限等で確実に設定されるようにすることもできる。
【０２０３】
また、設定された第１と第２のスレッショルド値は、レベル表示５２において第１のスレッショルド値５３ｇ、５４ｇと第２のスレッショルド値５３ｆ，５４ｆとして識別可能に表示される。
【０２０４】
（実施例１０）
図１３は、パワーログ表示９から所望の通信チャネルに関する項目を検索する動作を示している。以下図１３を用いて説明を行う。
【０２０５】
ログ表示画面１上のオプション設定ボタン４を入力手段１１５から選択（押下）するとオプション選択表示４ａが表示される。オプション選択表示４ａから検索ボタン（Ｆｉｎｄ）４ａ４を選択すると検索条件入力表示４ａ４ａが表示される。
【０２０６】
検索条件入力表示４ａ４ａには、通信方向入力欄４ａ４ａ１、通信チャネル名入力欄４ａ４ａ３、通信有無条件入力欄４ａ４ａ４等が表示されており、入力手段１１５から入力可能となっている。本図では、上記入力欄の他にもパワーログ表示９およびシーケンスログ表示１０が検索可能な入力欄（通信レイヤ入力欄４ａ４ａ２、チャネル化コード入力欄４ａ４ａ５、シンボルレート入力欄４ａ４ａ６、パワーレベル入力欄４ａ４ａ７等）に示されている。
【０２０７】
また、検索条件を入力する各入力欄相互の関係がＡＮＤ条件なのかＯＲ条件なのかを設定するための条件設定欄４ａ４ａ８が設けられている。本図では、条件設定欄４ａ４ａ８は各入力欄間に設けられているが、入力欄に検索条件が入力されていない入力欄およびその入力欄の直上の条件設定欄は無視されるため、入力欄に検索条件が入力された内容でのみ検索が可能となっている。
【０２０８】
説明をパワーログ表示９に戻す。検索条件入力表示４ａ４ａの通信方向入力欄４ａ４ａ１、通信レイヤ入力欄４ａ４ａ２（ここではＭＳ−ＰＨＹレイヤを入力しパワーログ表示９を指定）、通信チャネル名入力欄４ａ４ａ３、通信有無条件入力欄４ａ４ａ４等を入力し、各入力欄の直上の条件設定欄４ａ４ａ８を全てＡＮＤにチェックを入力する。
【０２０９】
各入力欄に入力した内容および各入力欄相互の関係は、パワーログ情報検索手段１１３ｇに設定され、入力された各条件にあった内容をパワーログ表示９から検索し、検索条件に該当する項目が発見された場合には、表示制御手段１１１を通して識別可能に表示を行う。また、検索条件に該当する項目が発見されなかった場合には、その旨を表示制御手段１１１を通して表示する。
【０２１０】
なお、上記例示したシンボルレート入力欄４ａ４ａ６、パワーレベル入力欄４ａ４ａ７等には、入力された値の検索だけではなく、入力値以上（またはより大きい）や入力値以下（またはより小さい）の入力も可能であり、検索を容易にしている。
【０２１１】
ここまでは、パワーログ表示９およびシーケンスログ表示１０に対して検索を行うように説明したが、必要に応じて各表示の元となる検出値、パワーログ情報、シーケンスログ情報に対して検索を実施可能とすることは容易であり設計の範囲である。この場合は、さらに詳細な情報まで検索が可能となる。
【０２１２】
以上説明してきた実施例は、個々に提供されるのではなく、様々な組み合わせにより提供可能であり、それら組み合わせによって試験および試験結果の解析が容易に行うことができる。
【図面の簡単な説明】
【０２１３】
【図１】本発明の通信試験装置の構成を示す図、
【図２】シーケンス情報取得手段と信号物理量測定手段の詳細例を示す図、
【図３】ログ表示を含む画面例を示す図、
【図４】レベル表示を含む画面例を示す図、
【図５】レベル表示に表示する通信チャネルを選択する設定例を示す図、
【図６】レベル表示に表示する複数の通信チャネルを選択する設定例を示す図、
【図７】スクロールの「連動」、「非連動」の設定例を示す図、
【図８】レベル表示の時間軸の設定例を示す図、
【図９】ログ表示の表示項目を選択する設定例を示す図、
【図１０】スレッショルド値の変更設定例を示す図、
【図１１】レベル判定のためのスレッショルド値が２種類ある場合の表示例を示す図、
【図１２】レベル判定のためのスレッショルド値がヒステリシス特性を有する場合の表示例を示す図、
【図１３】パワーログ表示の検索に関する操作例を示す図、
【図１４】シーケンス表示の従来例を示す図、
【図１５】レベル表示の従来例を示す図、
【図１６】（ａ）移動通信端末と通信試験を行うための従来例を示す図、  （ｂ）移動通信端末と通信試験中に物理量を測定する場合の従来例を示す図。
【符号の説明】
【０２１４】
１…ログ表示画面、
２…開始ボタン、
３…停止ボタン、
４…オプション設定ボタン、
５…レベル表示設定ボタン、
６…セーブボタン、
７…ロードボタン、
８…項目番号表示、
９…パワーログ表示、
１０…シーケンスログ表示、
１１…タイムスタンプ、１１ａ…第１のタイムスタンプ、１１ｂ…第２のタイムスタンプ、
１２…項目選択表示、
１３…スクロールバー、１３ａ…表示位置ブロック
１４…詳細情報表示、
１５…ログ表示、
５１…レベル表示画面、
５２…レベル表示、
５３…下りチャネルレベル表示、５３ａ…、５３ｂ…チャネル名、５３ｃ…検出値レベル、５３ｄ…下りチャネルスレッショルド値
５４…上りチャネルレベル表示、５４ａ…、５４ｂ…チャネル名、５４ｃ…検出値レベル、５４ｄ…上りチャネルスレッショルド値
５５…時間軸タイムスタンプ、
５６…カーソル、
５７…スクロールバー、５７ａ…表示位置ブロック
５８…下りチャネル設定ボタン、
５９…上りチャネル設定ボタン、
１００…通信試験装置、
１０１…移動通信端末
１０２…擬似基地局手段、
１０３…シーケンス情報取得手段、１０３ａ…送信データ有無判定手段、１０３ｂ…受信データ有無判定手段、
１０４…信号物理量測定手段、１０４ａ…送信信号測定手段、１０４ｂ…受信信号測定手段、１０４ｃ…ＲＦ信号測定手段、
１０５…時刻情報発生手段、
１０６…記憶手段、１０６ａ…シーケンスログ記憶部、１０６ｂ…検出値記憶部、
１０７…レベル判定手段、
１０８…表示手段、
１０９…表示情報抽出手段、
１１０…レベル表示生成手段、
１１１…表示制御手段、
１１２…表示部、
１１３…設定選択手段、１１３ａ…チャネル選択手段、１１３ｂ…表示位置制御手段、１１３ｃ…スクロール制御手段、１１３ｄ…表示項目設定手段、１１３ｅ…表示スケール変更手段、１１３ｆ…項目選択手段、１１３ｇ…パワーログ情報検索手段、
１１４…スレッショルド設定手段、
１１５…入力手段。
【図１】
2006033007.tif 000003
【図２】
2006033007.tif 000004
【図３】
2006033007.tif 000005
【図４】
2006033007.tif 000006
【図５】
2006033007.tif 000007
【図６】
2006033007.tif 000008
【図７】
2006033007.tif 000009
【図８】
2006033007.tif 000010
【図９】
2006033007.tif 000011
【図１０】
2006033007.tif 000012
【図１１】
2006033007.tif 000013
【図１２】
2006033007.tif 000014
【図１３】
2006033007.tif 000015
【図１４】
2006033007.tif 000016
【図１５】
2006033007.tif 000017
【図１６】
2006033007.tif 000018